(57)【特許請求の範囲】
【請求項１】
ネットワークに接続するようにされるベース装置と、当該ベース装置に対して接続される表示装置とからなる電話通信端末の前記ベース装置であって、
前記表示装置の接続を可能にする接続端部と、
ユーザからの発信操作を受け付ける受付手段と、
前記接続端部を通じて前記表示装置が接続されているときに、前記受付手段を通じて発信操作を受け付けた場合に、発信操作が行われたことの通知を形成して、前記表示装置に提供する発信通知提供手段と、
前記表示装置からの前記表示情報のネットワーク上における所在を示す情報を受け付ける提供情報受付手段と、
前記提供情報受付手段を通じて受け付けた前記表示情報のネットワーク上における所在を示す情報を、発信メッセージに含めて通信の相手先に対する発信を行う発信処理手段と
を備えることを特徴とするベース装置。
【請求項２】
ネットワークに接続するようにされるベース装置と、当該ベース装置に対して接続される表示装置とからなる電話通信端末の前記ベース装置に搭載されたコンピュータにおいて実行されるプログラムであって、
受付手段を通じてユーザからの発信操作を受け付ける受付ステップと、
接続端部を通じて前記表示装置が接続されているときに、前記受付ステップにおいて発信操作を受け付けた場合に、発信通知提供手段が、発信操作が行われたことの通知を形成して、前記表示装置に提供する発信通知提供ステップと、
前記通知に応じて前記表示装置から提供される前記表示情報のネットワーク上における所在を示す情報を、提供情報受付手段が受け付ける提供情報受付ステップと、
前記提供情報受付ステップにおいて受け付けた前記表示装置からの前記表示情報のネットワーク上における所在を示す情報を、発信処理手段が、発信メッセージに含めて通信の相手先に対して発信を行う発信処理ステップと
を実行することを特徴とする発信処理プログラム。
【発明の詳細な説明】
【技術分野】
【０００１】
この発明は、例えば、Ｗｅｂページ等のネットワーク上に開示された情報を閲覧しながら目的とする相手先に電話をかける場合に用いる装置、プログラムに関する。
【背景技術】
【０００２】
電子メールは、連絡手段の１つとして、個人でも、また、仕事でも広く用いられているが、通信ネットワークに接続可能なパーソナルコンピュータや携帯電話端末などを用いて受信者が能動的に閲覧するようにしなければ見ることができない。このため、確実に相手先に通知すべき情報については、電子メールだけでなく、電話でも連絡することがビジネスマナーにもなっている。
【０００３】
そして、電子メールの相手先に電話をかけるときには、相手先の電話番号を例えば電話機に登録されている電話帳データなどを参照するなどして調べて、当該相手先に電話をかけるようにしている。このように、従来は、電子メールによる通信と電話による通信とは、各々独立したシステムや装置によって行われおり、電子メールによる通信と電話による通信の連携を取ることができるようにすることが要請されていた。
【０００４】
特許文献１には、メールアドレスと電話番号を対応付けて記憶し、着信した電子メールのメールアドレスから電話番号を自動発信して通話したり、電話番号からメールアドレスを自動発信して電子メールを送信したりする発明が開示されている。当該発明は、ボタン電話機とパーソナルコンピュータとを備えたものであり、電子メールによる通信と電話による通信とを連携させる１つの技術として有効なものである。
【先行技術文献】
【特許文献】
【０００５】
【特許文献１】特開２００２−３２５１２８号公報
【発明の概要】
【発明が解決しようとする課題】
【０００６】
上述した特許文献１に記載の発明の場合には、電子メールを送信した相手先に対して、比較的に簡単に電話をかけることができる点において有効なものである。しかし、先に送信した電子メールの内容を相手に再度見て確認してもらいたい場合もある。また、インターネット上に提供されている情報を、電話の発信元と電話の着信先との双方において見ながら話しをしたいといった場合もある。このような場合には、先に送信した電子メールの表示を電話での通話の中で要請したり、目的とするＷｅｂページのＵＲＬ（Uniform Resource Locator）を電話での通話の中で伝え、閲覧することを要請したりすることが行われる。
【０００７】
しかしながら、先に送信した電子メールの表示を要請する場合、いつ送信したどのような内容のものかなどの電子メールの詳細を伝えないと、相手先においてなかなか目的とする電子メールが見つけだせない場合がある。また、ＵＲＬを伝える場合でも、ＵＲＬ自体が長く、正確に伝えるのに時間がかかったり、相手先に手間を取らせたりする場合もある。このため、閲覧を要求する表示情報の所在を、通話時の音声による通知ではなく、確実かつ簡単に相手先に通知できるようにすることが望まれている。
【０００８】
以上のことに鑑み、この発明は、電話による通話時に閲覧を要求する表示情報の所在を、確実かつ簡単に通知し、通知先において当該表示情報を簡単に利用できるようにすることを目的とする。
【課題を解決するための手段】
【０００９】
上記課題を解決するため、請求項１に記載の発明のベース装置は、
ネットワークに接続するようにされるベース装置と、当該ベース装置に対して接続される表示装置とからなる電話通信端末の前記ベース装置であって、
前記表示装置の接続を可能にする接続端部と、
ユーザからの発信操作を受け付ける受付手段と、
前記接続端部を通じて前記表示装置が接続されているときに、前記受付手段を通じて発信操作を受け付けた場合に、発信操作が行われたことの通知を形成して、前記表示装置に提供する発信通知提供手段と、
前記表示装置からの前記表示情報のネットワーク上における所在を示す情報を受け付ける提供情報受付手段と、
前記提供情報受付手段を通じて受け付けた前記表示情報のネットワーク上における所在を示す情報を、発信メッセージに含めて通信の相手先に対する発信を行う発信処理手段と
を備えることを特徴とする。
【００１１】
これにより、通信の相手先においては、自機への着信と同時に、表示すべき表示情報の所在を正確に知ることができる。したがって、着信先においては、着信に応答する前、あるいは、着信に応答した直後など、適宜のタイミングで目的とする表示情報をネットワーク上から取得して表示するようにし、通話中に簡単に見ることができるようにされる。
【発明の効果】
【００１２】
この発明によれば、電話による例えば発信時において、閲覧を要求する表示情報の所在を確実かつ簡単に相手先に通知することができる。これにより、着信先においては発信元が目的とする表示情報を簡単に取得して表示し、利用することができる。
【図面の簡単な説明】
【００１３】
【図１】実施の形態の電話システムの概要を説明するためのブロック図である。
【図２】ＩＰ電話端末４と携帯電話端末５との連携の概要について説明するための図である。
【図３】ＳＩＰサーバ１の構成例を説明するためのブロック図である。
【図４】アドレス管理ＤＢ１０６に形成される管理情報（データベース）の構成例について説明するための図である。
【図５】ＩＰ電話端末４の構成例を説明するためのブロック図である。
【図６】携帯電話端末５の構成例を説明するためのブロック図である。
【図７】Ｗｅｂサービスサーバ８を利用したＩＰ電話端末４Ａ側からＩＰ電話端末４Ｂ側に電話をかける場合の処理の一例を説明するためのシーケンス図である。
【図８】図７に続くシーケンス図である。
【図９】発信元の携帯電話端末５Ａの発信時の表示例と着信先の携帯電話端末５Ｂの着信時の表示例を説明するための図である。
【図１０】ＩＰ電話端末４ＡとＩＰ電話端末４Ｂとを通じて通話中に、携帯電話端末５Ａ、５Ｂの表示情報が変更された場合の処理を説明するためのシーケンス図である。
【図１１】通信の履歴情報の表示と発信処理について説明するためのシーケンス図である。
【図１２】携帯電話端末５のディスプレイに表示される通信履歴情報（発着信履歴情報および関連メール履歴情報）の例を示す図である。
【発明を実施するための形態】
【００１４】
以下、図を参照しながら、この発明による装置、プログラムの一実施の形態について説明する。以下に説明する実施の形態においては、例えば、事業所内に形成されるボタン電話システムであって、ＩＰ（Internet Protocol）網を通じても電話通信を行うことができるＩＰ電話システムに、この発明を適用した場合を例にして説明する。
【００１５】
［電話システムの概要］
図１は、この実施の形態の電話システムの概要を説明するためのブロック図である。図１に示すように、例えば、事業所Ａ、Ｂなどというように、異なる場所のそれぞれに対応して電話システムＡ、Ｂが構成されている。電話システムＡは、ＳＩＰサーバ１Ａに対してＬＡＮ（Local Area Network）２Ａを通じ、複数のＩＰ電話端末４Ａ（１）、…、４Ａ（ｎ）が接続されて構成される。ＩＰ電話端末４Ａ（１）、…、４Ａ（ｎ）のそれぞれには、携帯電話端末５Ａ（１）、…、５Ａ（ｎ）が接続可能にされている。同様に、電話システムＢは、ＳＩＰサーバ１Ｂに対してＬＡＮ２Ｂを通じ、複数のＩＰ電話端末４Ｂ（１）、…、４Ｂ（ｎ）が接続されて構成される。ＩＰ電話端末４Ｂ（１）、…、４Ｂ（ｎ）のそれぞれには、携帯電話端末５Ｂ（１）、…、５Ｂ（ｎ）が接続可能にされている。
【００１６】
そして、以下に説明する実施の形態において、ＩＰ電話端末４Ａ（１）、…、４Ａ（ｎ）、４Ｂ（１）、…、４Ｂ（ｎ）のそれぞれが、電話機能を実現するベースとなるベース装置として位置付けられるものである。また携帯電話端末５Ａ（１）、…、５Ａ（ｎ）、５Ｂ（１）、…、５Ｂ（ｎ）のそれぞれが、電子メール情報やＷｅｂページ等を表示する表示装置として位置付けられるものである。
【００１７】
なお、この明細書において、４Ａ（ｎ）、４Ｂ（ｎ）などの括弧内の添え字「ｎ」は２以上の整数を意味する。また、以下においては、図１に示したように、対応するＩＰ電話端末と携帯電話端末とは、例えばＵＳＢ（Universal Serial Bus）規格のインターフェースケーブルにより接続可能にされているものである。
【００１８】
そして、ＳＩＰサーバ１Ａ、１Ｂは、図１に示したように、ネットワーク６に接続され、通信路（通信回線）を接続する端末間のアドレス解決をするものである。つまり、ＳＩＰサーバ１Ａ、１Ｂは、レジストラ・サーバ機能とプロキシ・サーバ機能とを備え、これらの機能を用いることによって、ＬＡＮ２Ａ、２Ｂに接続された同一電話システム内の機器との間や、ＬＡＮ２Ａ、２Ｂに接続された機器とネットワーク６に接続するようにされた他の機器との間に、通信路を接続することができるようにするものである。したがって、電話システムＡのＩＰ電話端末４Ａ（１）等と、電話システムＢ内のＩＰ電話端末４Ｂ（１）等は、それぞれの電話システムのＳＩＰサーバ１Ａ、１Ｂおよびネットワーク６を通じて通信路を接続し、通話を行うことができるようにされる。
【００１９】
ネットワーク６は、ＩＰ（Internet Protocol）を用いて通信を行うネットワークであるインターネットや種々の公衆交換電話網を含む広域ネットワークである。なお、公衆交換電話網は、アナログ方式の公衆交換電話網（ＰＳＴＮ（Public Switched Telephone Network））、デジタル回線網（ＩＳＤＮ（Integrated Services Digital Network））、３Ｇ回線などと呼ばれる第３世代の高速携帯電話ネットワーク（携帯電話網）などを含む。
【００２０】
ＩＰ電話端末４Ａ（１）、…、４Ａ（ｎ）、４Ｂ（１）、…、４Ｂ（ｎ）のそれぞれは、通話を行うためにユーザによって用いられる通信端末である。ＩＰ電話端末４Ａ（１）、…、４Ａ（ｎ）、４Ｂ（１）、…、４Ｂ（ｎ）のそれぞれは、ＬＡＮ２Ａ、２Ｂに接続された同一電話システム内のＩＰ電話端末との間の内線通話と、ネットワーク６に接続された外部の電話端末との間の外線通話とを行うことができるものである。
【００２１】
携帯電話端末５Ａ（１）、…、５Ａ（ｎ）、５Ｂ（１）、…、５Ｂ（ｎ）、５Ｃ（１）は、例えば、図１において、携帯電話端末５Ｃ（１）が示すように、近隣の基地局９（ｎ）および携帯電話網を通じて通信路を接続して通話を行うことができるものである。また、携帯電話端末５Ａ（１）、…、５Ａ（ｎ）、５Ｂ（１）、…、５Ｂ（ｎ）、５Ｃ（１）は、携帯電話網を通じてインターネットに接続し、Ｗｅｂページの閲覧、種々の情報のダウンロードやアップロード、また、電子メールの送受信が可能なものである。この実施の形態において、携帯電話端末５Ａ（１）、…、５Ａ（ｎ）、５Ｂ（１）、…、５Ｂ（ｎ）、５Ｃ（１）は、電子メールの送受やＷｅｂページの閲覧などを行うネットワーク機能や個人情報管理に優れたいわゆるスマートフォンなどと呼ばれる高機能のものである。
【００２２】
そして、図１において、ＩＰ電話端末４Ａ（１）と携帯電話端末５Ａ（１）とが接続されているように、ＩＰ電話端末と携帯電話端末とはＵＳＢケーブルを用いて接続し、相互に種々のデータの送受を行うことができるようにしている。これにより、ＩＰ電話端末と携帯電話端末とが連携することができるようにしている。
【００２３】
また、ネットワーク６に接続されたＷｅｂサービスサーバ８は、この実施の形態においては、ユーザから提供される電子メール情報などを蓄積すると共に、蓄積した情報の蓄積場所（所在）を示すＵＲＬを発行する。そして、当該ＵＲＬを用いてアクセスしてきたユーザに対して、当該ＵＲＬで示される蓄積場所に蓄積されている情報を提供するサービスを行う。このように、Ｗｅｂサービスサーバ８は、いわゆる情報の共有サービスを提供するものである。
【００２４】
なお、この実施の形態において、ＩＰ電話端末４Ａ（１）、…、４Ａ（ｎ）、４Ｂ（１）、…、４Ｂ（ｎ）のそれぞれは、同様に構成されるものである。このため、以下においては、特に区別して示す場合を除き、ＩＰ電話端末４Ａ（１）、…、４Ａ（ｎ）、４Ｂ（１）、…、４Ｂ（ｎ）を総称して、ＩＰ電話端末４、あるいは、ＩＰ電話端末４Ａ、４Ｂという。また、携帯電話端末５Ａ（１）、…、５Ａ（ｎ）、５Ｂ（１）、…、５Ｂ（ｎ）、５Ｃ（１）のそれぞれは、同様に構成されるものである。このため、以下においては、特に区別して示す場合を除き、携帯電話端末５Ａ（１）、…、５Ａ（ｎ）、５Ｂ（１）、…、５Ｂ（ｎ）、５Ｃ（１）を総称して、携帯電話端末５、あるいは、携帯電話端末５Ａ、５Ｂ、５Ｃという。また、特に区別して示す場合を除き、ＬＡＮ２Ａ、２Ｂを総称して、ＬＡＮ２という。
【００２５】
そして、この実施の形態においては、例えば、電話システムＡのＩＰ電話端末４Ａのユーザが、電話システムＢのＩＰ電話端末４Ｂに電話をかける場合に、通話時に参照するようにしたい電子メール情報などがあったとする。この場合に、発信元のＩＰ電話端末４Ａのユーザは、自己の携帯電話端末５Ａを用いて、Ｗｅｂサービスサーバ８にアクセスし、目的とする電子メール情報などをアップロードし、当該情報の蓄積場所（所在）を示すＵＲＬの提供を受ける。
【００２６】
そして、図１に示したように、ＩＰ電話端末４Ａと携帯電話端末５ＡとがＵＳＢケーブルを通じて接続され、携帯電話端末５Ａの表示画面にアップロードした電子メール情報などが表示されているときに、ＩＰ電話端末４Ａに対して発信操作が行われたとする。この場合に、この実施の形態のＩＰ電話端末４Ａは、携帯電話端末５Ａと協働し、携帯電話端末５Ａの表示画面に表示中の電子メール情報などの提供先となるべき相手先に対して自動的に電話をかけることができるようにされる。この場合に、当該ＩＰ電話端末４Ａは、携帯電話端末５Ａと協働して、表示中の電子メール情報などの格納先を示すＵＲＬについても送信し、着信先において応答前に当該ＵＲＬを表示画面に表示して見ることができるようにされる。
【００２７】
図２は、ＩＰ電話端末４と携帯電話端末５との連携の概要について説明するための図である。図２Ａに示すように、ＩＰ電話端末４に対しては、外部端子４１１及びＵＳＢケーブル１０を通じて携帯電話端末５が接続されている状態にある。そして、ＩＰ電話端末４に接続された携帯電話端末５のディスプレイ５２４の表示画面には、Ｗｅｂサービスサーバ８にアップロードした情報であって、送信元と送信先の電子メールアドレス、件名、本文といった種々の情報を含む電子メール情報が表示されている。
【００２８】
この状態にあるときに、図２Ｂに示すように、ＩＰ電話端末４のハンドセット４４０をＩＰ電話端末４の本体から取り上げると、フックスイッチＳＷはオン状態からオフ状態に遷移し、ＩＰ電話端末４はオフフック状態（回線接続状態）になる。このオフフック状態にされた場合を、ＩＰ電話端末４は発信操作が行われたと判別し、自機に接続されている携帯電話端末５のディスプレイ５２４の表示画面に表示されている電子メール情報の相手先に対して、自動的に発信して電話をかけることができるようにしている。
【００２９】
この場合、ＩＰ電話端末４は、オフフック操作されると、オフフック操作されたことを携帯電話端末５に通知する。携帯電話端末５は、オフフック操作されたことの通知を受けると、電話をかける相手先を特定して、その電話番号を取得し、この取得した電話番号と共に、表示中の電子メール情報の格納場所を示すＵＲＬをＩＰ電話端末４に提供する。
【００３０】
この場合に電話をかける相手先は、携帯電話端末５に表示されている電子メール情報に含まれる電子メールアドレスの内、当該携帯電話端末５のユーザの電子メールアドレス以外の電子メールアドレスにより特定される相手先となる。このような電話をかける相手先の特定（区別）は、簡単には、電子メール情報に含まれる電子メールアドレスと携帯電話端末５に予め登録されている自機のユーザの電子メールアドレスとの比較に基づいて行うことができる。
【００３１】
そして、携帯電話端末５は、電話をかける相手先の電子メールアドレスに基づいて、携帯電話端末５のメモリに形成された少なくとも電子メールアドレスと電話番号とを対応付けた電話帳データを参照し、相手先の電話番号を特定する。この特定した電話番号の相手先に対して、ＩＰ電話端末４は、ＩＮＶＩＴＥメッセージ（発信要求）を形成して発信する。この時、さらにＩＰ電話端末４は、当該ＩＮＶＩＴＥメッセージの中のヘッダの情報の１つとして定義されているユーザインフォメーション（USER INFO）やアラートインフォメーション（ALART INFO）に携帯電話端末５から提供されたＵＲＬを記載する。
【００３２】
当該ＩＮＶＩＴＥメッセージを受信する着信側の電話端末においては、当該ＩＮＶＩＴＥメッセージのユーザインフォメーション（USER INFO）やアラートインフォメーション（ALART INFO）に記載された情報を自機の表示画面に表示する。これにより、着信側の電話端末のユーザは、応答操作前であっても、発信元が参照して欲しい情報が存在することを認識することができる。そして、着信側の電話端末のユーザは、自己の携帯電話端末などを通じてＷｅｂサービスサーバ８にアクセスし、通知されたＵＲＬを用いて目的とする電子メール情報を閲覧することができる。
【００３３】
このように、この実施の形態の電話システムにおいては、携帯電話端末５を通じてＷｅｂサービスサーバ８の提供する情報共有サービスの提供を受けることができるようにされる。そして、ＩＰ電話端末４のハンドセット４４０を持ち上げてオフフック状態にするといった直感的で簡単な操作を契機として、表示している電子メール情報等を提供したい相手先に電話をかけることができる。さらに、表示している電子メール情報等の所在を示すＵＲＬを発信元から着信側に提供し、着信側の電話端末等において提供された情報に基づき、当該電子メール情報等を表示して閲覧することができるようにしている。
【００３４】
なお、ここではハンドセット４４０を持ち上げるオフフック操作を発信操作として説明したが、これに限るものではなく、発信キーの押下操作など、所定の操作を行った場合に発信操作が行われたと判別することももちろん可能である。以下、この実施の形態の電話システムを構成する各機器について説明した後に、当該電話システムにおいて、電話システムＡのＩＰ電話端末４Ａから電話システムＢのＩＰ電話端末４Ｂに電話をかける場合を例にして、電話をかける場合の動作（処理）の具体例について説明する。
【００３５】
［ＳＩＰサーバ１の構成例］
まず、この実施の形態の電話システムＡ、Ｂで用いられるＳＩＰサーバ１の構成について説明する。図３は、ＳＩＰサーバ１の構成例を説明するためのブロック図である。図３に示すように、ＳＩＰサーバ１は、ネットワーク６に含まれるＩＰ網への接続端子１０１と、ＩＰ網インターフェース（以下、ＩＰ網Ｉ／Ｆと略称する。）１０２と、パケット分解／生成部１０３とを備えている。また、ＳＩＰサーバ１は、電話網インターフェース（以下、電話網Ｉ／Ｆと略称する。）１０４と、ネットワーク６に含まれる公衆交換電話網（以下、単に電話網という。）への接続端子１０５と、アドレス管理データベース（以下、アドレス管理ＤＢと略称する。）１０６とを備えている。さらに、ＳＩＰサーバ１は、ＬＡＮインターフェース（以下、ＬＡＮＩ／Ｆと略称する。）１０７と、ＬＡＮ２への接続端子１０８と、制御部１１０とを備えている。
【００３６】
制御部１１０は、この実施の形態のＳＩＰサーバ１の各部を制御するものであり、図３に示すように、ＣＰＵ（Central Processing Unit）１１１、ＲＯＭ（Read Only Memory）１１２、ＲＡＭ（Random Access Memory）１１３がシステムバス１１４を通じて接続されて構成されたマイクロコンピュータである。ここで、ＣＰＵ１１１は、ＲＯＭ１１２に記憶保持されているプログラムを実行することにより、各部を制御するための制御信号を生成して各部に供給したり、各部からの情報を処理したりするものである。ＲＯＭ１１２は、上述のように、ＣＰＵ１１１で実行される種々のプログラムや処理に必要となる種々のデータを記憶保持しているものである。
【００３７】
また、ＲＡＭ１１３は、処理の途中結果を一時記憶するなど、主に、作業領域として用いられるものである。なお、図示しないが、例えば、ＥＥＰＲＯＭ（Electrically Erasable and Programmable ROM）やフラッシュメモリーなどのいわゆる不揮発性メモリを備え、電源が落とされても保持しておくべきデータ、例えば、種々の設定パラメータや機能アップのために提供された新たなプログラムなどについても記憶保持することができるようにされている。
【００３８】
接続端子１０１は、ネットワーク６の内のＩＰ網への接続端部を構成するものである。ＩＰ網Ｉ／Ｆ１０２は、ＩＰ網を通じて供給されるパケットを受け付けて、これを自機において処理可能な形式のパケットに変換して制御部１１０に供給する。また、ＩＰ網Ｉ／Ｆ１０２は、制御部１１０を通じて供給される送信すべきパケットを送信用の形式のパケットに変換して、これをＩＰ網に送出する。
【００３９】
接続端子１０５は、ネットワーク６の内の電話網への接続端部を構成するものである。電話網Ｉ／Ｆ１０４は、電話網を通じて供給されるデータを受け付けて、これを自機において処理可能な形式のデータに変換して制御部１１０に供給する。また、電話網Ｉ／Ｆ１０４は、制御部１１０を通じて供給される送信すべきデータを送信用の形式のデータに変換して、これを電話網に送出する。
【００４０】
接続端子１０８はＬＡＮ２への接続端部を構成するものである。ＬＡＮＩ／Ｆ１０７は、ＬＡＮ２を通じて供給されるパケットを受け付けて、これを自機において処理可能な形式のパケットに変換して制御部１１０に供給する。また、ＬＡＮＩ／Ｆ１０７は、制御部１１０を通じて供給される送信すべきパケットを送信用の形式のパケットに変換して、これをＬＡＮ２に送出する。
【００４１】
パケット分解／生成部１０３は、パケットの分解や生成を行うものであり、主に、電話網に接続された端末装置とＳＩＰサーバ１の配下のＩＰ電話端末４との間で通話を行う場合に、送受するデータのパケットの分解や生成を行う。具体的には、ＬＡＮ２を通じてＳＩＰサーバ１に接続されたＩＰ電話端末４等からの電話網に接続された端末装置に送信すべきパケットが、接続端子１０８、ＬＡＮＩ／Ｆ１０７を通じて制御部１１０に供給される。当該パケットは、制御部１１０からパケット分解／生成部１０３に供給され、ここでパケット分解された後に、電話網Ｉ／Ｆ１０４、接続端子１０５を通じて電話網に送出され、目的とする相手先に送信される。
【００４２】
また、電話網に接続された端末装置からのＬＡＮ２を通じてＳＩＰサーバ１に接続されたＩＰ電話端末４等へのデータは、接続端子１０５、電話網Ｉ／Ｆ１０４を通じて制御部１１０に供給される。当該データは、制御部１１０からパケット分解／生成部１０３に供給され、ここで所定の形式のパケットとされた後に、ＬＡＮＩ／Ｆ１０７、接続端子１０８を通じて、ＬＡＮ２に送出されて目的とするＩＰ電話端末４等に送信される。
【００４３】
なお、ＩＰ網に接続された端末と、ＳＩＰサーバ１にＬＡＮ２を通じて接続されるＩＰ電話端末４等との間では、パケットが送受される。このため、パケット分解／生成部１０３において、パケットの分解や生成は行われることはなく、ＩＰ網Ｉ／Ｆ１０２、ＬＡＮＩ／Ｆ１０７において、データ形式が整えられてそのまま送受される。同様に、ＳＩＰサーバ１にＬＡＮ２を通じて接続されるＩＰ電話端末４間においても、パケットが送受されるため、パケット分解／生成部１０３において、パケットの分解や生成は行われることはなく、ＬＡＮＩ／Ｆ１０７を通じてパケットが送受される。
【００４４】
そして、アドレス管理ＤＢ１０６は、レジストラ・サーバ機能を実現するために、ＩＰ網やＬＡＮ２に接続され、このＳＩＰサーバ１を通じて呼び出す可能性のある端末装置についてのアドレス情報を記憶保持するものである。具体的には、ＳＩＰサーバ１の制御部１１０は、ＩＰ網Ｉ／Ｆ１０２やＬＡＮＩ／Ｆ１０７を通じて、これらに接続されている種々の端末装置からの登録要求（レジスタ・リクエスト）を受信する。この場合に、制御部１１０は、受信した要求に含まれるＵＲＩ（Uniform Resource Identifier）やＩＰアドレスなどのアドレス情報を抽出する。そして、制御部１１０は、抽出したアドレス情報をアドレス管理ＤＢ１０６に登録したり、抽出したアドレス情報を用いてアドレス管理ＤＢ１０６の登録情報を更新したりする。
【００４５】
このようにして、アドレス管理ＤＢ１０６に登録されて管理される情報が参照され、自機にＬＡＮ２を通じて接続されるＩＰ電話端末４などから要求のあった通信先を確実に特定する。そして、その特定した相手先に送信すべき情報（パケットデータ）を転送するようにするプロキシ・サーバとしての機能をＳＩＰサーバ１が実現する。また、アドレス管理ＤＢ１０６に登録されて管理される情報は、自機にＬＡＮ２を通じて接続されるＩＰ電話端末４などへの着信の判別などにも用いられる。
【００４６】
図４は、アドレス管理ＤＢ１０６に形成される管理情報（データベース）の構成例について説明するための図である。ＳＩＰサーバ１のアドレス管理ＤＢ１０６は、ＩＰ網に接続された他のＩＰ電話システムの端末装置のアドレス情報の他、当該ＳＩＰサーバ１にＬＡＮ接続されたＩＰ電話端末４などについてのアドレス情報をも管理する。
【００４７】
基本的にＳＩＰサーバ１のアドレス管理ＤＢ１０６に形成される管理情報は、上述もしたように、ＩＰ網に接続された端末装置から送信されてくるＵＲＩ（ＳＩＰ  ＵＲＩ）と、ＩＰアドレスである。そして、この実施の形態のＳＩＰサーバ１のアドレス管理ＤＢ１０６では、図３に示したように、ＳＩＰサーバ１にＬＡＮ接続されたＩＰ電話端末４については、ＵＲＩとＩＰアドレスの他、ＭＡＣ（Media Access Control）アドレスと内線番号についても管理する。
【００４８】
そして、この実施の形態の電話システムのＩＰ電話端末４からＩＰ網に接続された端末装置に対する発信要求（発呼要求）をＳＩＰサーバ１が受け付けたとする。この場合、ＳＩＰサーバ１の制御部１１０は、自己のアドレス管理ＤＢ１０６の管理情報に基づいて、目的とする相手先の端末装置を特定し、この特定した端末装置に対して、メッセージの転送を行う。また、ＩＰ網や電話網などのネットワーク６を通じて、ＬＡＮ２に接続されているＩＰ電話端末４に対する着信要求（外線着信）をＳＩＰサーバ１が受け付けたとする。この場合、ＳＩＰサーバ１の制御部１１０は、送信されてきたメッセージを受け付けて、これを自システム内に送出する。
【００４９】
なお、外線着信であっても、例えば個別着信（着信先のＩＰ電話端末を特定した着信）や、ＳＩＰサーバ１にＬＡＮ接続されたＩＰ電話端末間の内線の発着信の場合には、ＳＩＰサーバ１は相手先を特定して着信を通知する。すなわち、この場合、ＳＩＰサーバ１の制御部１１０は、自己のアドレス管理ＤＢ１０６の管理情報に基づいて、目的とする相手先のＩＰ電話端末４を特定し、この特定したＩＰ電話端末４に対して、メッセージの転送を行う。
【００５０】
また、発信に際して、ＩＰ電話番号が用いられる場合には、図１には図示しなかったが、ＩＰ網に接続されているゲートウェイやＤＮＳ（Domain Name System）が利用されて、ＩＰ電話番号からＵＲＩなどが検索されて用いられることになる。相手先から、この実施の形態の電話システムを構成するＩＰ電話端末４に対して、ＩＰ電話番号を用いて電話をかける場合においても同様に、ＩＰ網に接続されているゲートウェイやＤＮＳが利用されて、ＩＰ電話番号からＵＲＩなどが検索されて用いられる。
【００５１】
このように、この実施の形態のＳＩＰサーバ１は、パケット分解／生成部１０３やアドレス管理ＤＢ１０６を備え、ＳＩＰサーバ１が接続される種々のネットワークに接続される端末間のメッセージの中継を行うことができるものである。したがって、この実施の形態のＳＩＰサーバ１は、外線−内線間の接続や内線間の接続を行ったり、通信回線の使用状況を配下のＩＰ電話端末４に通知したりすることができるものである。
【００５２】
また、制御部１１０は、ＩＰ網Ｉ／Ｆ１０２、電話網Ｉ／Ｆ１０４、ＬＡＮＩ／Ｆ１０７を通じて、使用中の通信回線や空いている通信回線を把握し、適切に回線交換を行うこともできるようにしている。また、制御部１１０は、把握した通信回線の使用状態等に応じて、ＬＡＮ２を通じて接続されるＩＰ電話端末４毎に供給すべきＬＥＤ等の点灯、消灯を制御するための制御情報を形成する。当該制御情報は、ＬＡＮＩ／Ｆ１０７、接続端子１０８を通じてＬＡＮ２に送出され、各ＩＰ電話端末４等に送信される。
【００５３】
なお、図３において、パケット分解／生成部１０３は、独立した回路部分として示しているが、これに限るものではない。パケット分解／生成部１０３は、制御部１１０において実行されるプログラムにより、制御部１１０の機能として実現することももちろん可能である。
【００５４】
［ＩＰ電話端末４の構成例］
次に、この実施の形態の電話システムで用いられるＩＰ電話端末４の構成について説明する。図５は、この実施の形態の電話システムのＩＰ電話端末４の構成例を説明するためのブロック図である。
【００５５】
この実施の形態のＩＰ電話端末４は、図５に示すように、主に電話機能を実現する部分として、ＬＡＮ接続端子４０１、ＬＡＮＩ／Ｆ４０２、パケット処理部４０３、通話音声入出力インターフェース（以下、通話音声入出力Ｉ／Ｆという。）４０４、ハンドセット接続端子４０５、オンフック／オフフック検出部４０６、ハンドセット４４０、リンガ４０７、操作入力部４０８、操作入力インターフェース（以下、操作入力Ｉ／Ｆという。）４０９、電話帳メモリ４１０、ディスプレイコントローラ４１５、ディスプレイ４１６を備えている。
【００５６】
また、ＩＰ電話端末４は、外部機器を接続するための部分として、図５に示すように、外部端子４１１、外部インターフェース（以下、外部Ｉ／Ｆと略称する。）４１２、充電電流供給回路４１３、ＡＣコンセント４１４を備えている。さらに、ＩＰ電話端末４は、自機に接続された携帯電話端末５との連携を実現する部分として、発信等処理部４２１、端末表示制御部４２２を備えると共に、当該ＩＰ電話端末４の各部を制御する制御部４３０を備えている。
【００５７】
制御部４３０は、ＣＰＵ４３１、ＲＯＭ４３２、ＲＡＭ４３３、ＥＥＰＲＯＭ４３４が、ＣＰＵバス４３５を通じて接続されて構成されたマイクロコンピュータである。ここで、ＣＰＵ４３１は、ＲＯＭ４３２に記憶保持されているプログラムを読み出して実行し、各部に供給する制御信号を形成してこれを各部に供給したり、また、各部から供給されるデータを処理したりするものである。ＲＯＭ４３２は、上述のように、ＣＰＵ４３１で実行される種々のプログラムや処理に必要になる各種のデータが記憶保持されたものである。
【００５８】
また、ＲＡＭ４３３は、処理の途中結果を一時記憶するなど、主に作業領域として用いられるものである。また、ＥＥＰＲＯＭ４３４は、いわゆる不揮発性メモリであり、電源が落とされても保持しておくべきデータ、例えば、種々の設定パラメータや機能アップのために提供された新たなプログラムなどを記憶保持する。
【００５９】
［着信時の動作］
そして、ＬＡＮ２を介して送信されてくるパケットデータは、ＬＡＮ接続端子４０１を通じてＬＡＮＩ／Ｆ４０２に供給され、ここで自機において処理可能な形式のデータに変換された後、ＣＰＵバス４３５を介して、パケット処理部４０３に供給される。パケット処理部４０３は、これに供給されたパケットデータに含まれる制御データや音声データを分解して抽出する。ここで抽出された制御データは制御部４３０に供給され、自機の制御に用いられる。また、自機（自端末）宛の音声データが含まれていた場合には、当該音声データは、ＣＰＵバス４３５を通じて通話音声入出力Ｉ／Ｆ４０４に供給されることになる。
【００６０】
パケット処理部４０３において分解されて抽出された制御データが、自機への呼び出しメッセージである場合には、制御部４３０は、リンガ４０７を制御して、着信鳴動させる。同時に、制御部４３０は、ディスプレイコントローラ４１５を制御し、ディスプレイ４１６の表示画面に自機に着信があることを通知するメッセージや発信元の電話番号や名前あるいは発信元の内線番号などを表示する。
【００６１】
そして、自機への着信に応じて、ユーザがハンドセット４４０をＩＰ電話端末４の本体から持ち上げると、オンフック／オフフック検出部４０６により、フックスイッチＳＷがオフになったことが検出され、これが制御部４３０に通知される。これにより、制御部４３０は各部を制御し、当該ＩＰ電話端末４をオフフック状態に遷移させる。この場合、制御部４３０は、着信に応答するメッセージを形成し、これをパケット処理部４０３においてパケット化して、ＬＡＮＩ／Ｆ４０２に供給する。ＬＡＮＩ／Ｆ４０２は、当該パケットデータを送信用のパケットデータに変換し、これをＬＡＮ接続端子４０１を通じてＬＡＮ２に送出し、発呼先の端末に送信するようにする。
【００６２】
これにより、上述したＳＩＰサーバ１を通じて発信元との間に通信路が生成され、通話が開始される。この場合、相手先からの音声データを含むパケットは、上述したように、ＬＡＮ接続端子４０１、ＬＡＮＩ／Ｆ４０２を通じてパケット処理部４０３に供給され、ここで分解されて、制御データは制御部４３０へ、音声データは通話音声入出力Ｉ／Ｆ４０４に供給される。
【００６３】
通話音声入出力Ｉ／Ｆ４０４は、パケット処理部４０３からの音声データから自機のハンドセット４４０のスピーカ（受話器）に供給するアナログ音声信号を形成し、これをハンドセット接続端子４０５を通じてハンドセット４４０のスピーカに供給する。これにより、相手先から送信されてくる相手先の音声が、ハンドセット４４０のスピーカ（受話器）から放音される。
【００６４】
一方、ハンドセット４４０のマイクロホン（送話器）によって集音された音声は、ここで電気信号に変換され、ハンドセット接続端子４０５を通じて通話音声入出力Ｉ／Ｆ４０４に供給される。通話音声入出力Ｉ／Ｆ４０４は、ハンドセット４４０からの音声データをデジタル信号に変換するなどの処理を行って、これをパケット処理部４０３に供給する。パケット処理部４０３は、通話音声入出力Ｉ／Ｆ４０４からの音声データを含む相手先への送信用のパケットを形成し、これをＬＡＮＩ／Ｆ４０２、ＬＡＮ接続端子４０１を通じてＬＡＮ２に送出し、通信の相手先に送信する。このようにして、ＩＰ電話端末４は、自機への着信に応答し、発呼先との間で通信路を生成して通話を行うことができる。
【００６５】
［発呼時の動作］
次に、当該ＩＰ電話端末４から電話をかける場合（発信（発呼）する場合）の処理について説明する。ＩＰ電話端末４から発信する場合には、まず、ハンドセット４４０をＩＰ電話端末４の本体から持ち上げると、オンフック／オフフック検出部４０６により、フックスイッチＳＷがオフになったことが検出され、これが制御部４３０に通知される。これにより、制御部４３０は各部を制御し、当該ＩＰ電話端末４をオフフック状態に遷移させる。この場合、制御部４３０は、まず回線を確保し、操作入力部４０８および操作入力Ｉ／Ｆ４０９を通じて通信の相手先の電話番号、あるいは、内線番号の入力を受け付ける。
【００６６】
この場合、制御部４３０は、発呼メッセージを形成し、これをパケット処理部４０３に供給する。パケット処理部４０３は、自機からの発呼メッセージをパケット化し、これをＬＡＮＩ／Ｆ４０２、ＬＡＮ接続端子４０１を通じてＬＡＮ２に送出し、ＳＩＰサーバ１を通じて目的とする通信の相手先に送信するようにする。
【００６７】
この後、目的とする相手先からの応答が返信されてきた場合に制御部４３０は通信路を生成する。これにより、ＬＡＮ接続端子４０１、ＬＡＮＩ／Ｆ４０２、パケット処理部４０３、通話音声入出力Ｉ／Ｆ４０４、ハンドセット接続端子４０５、ハンドセット４４０からなる通話系の機能により通話を行うことができるようにされる。このように、ＩＰ電話端末４は、自機から目的とする端末に発信して、相手先との間に通信路を接続して通話を行うこともできる。
【００６８】
また、電話帳メモリ４１０には、通信の相手先（電話をかけたり、電話がかかってきたりする可能性のある相手先）の電話番号や名前が電話帳データとして登録される。これにより、電話帳メモリ４１０に登録されている電話帳データから目的とする相手先の電話帳データを選択することにより、当該電話帳データの電話番号を用いて、電話をかけることもできるようにされる。
【００６９】
すなわち、携帯電話端末の場合と同様に、電話番号をいちいち入力することなく、電話帳メモリ４１０に登録済みの電話帳データを用いて電話をかけることもできるようにされる。また、当該電話帳データを用いて、自機への着信時に通知される発信元の電話番号に基づいて、発信元の名前を特定して表示するなどのこともできるようにされる。なお、電話帳メモリ４１０には、相手先の名前（名称）、電話番号、電子メールアドレス、住所、所属先（会社名、部署名等）、備考などの必要とされる種々の情報を登録することもできる。
【００７０】
そして、外部端子４１１が、外部機器である携帯電話端末５との接続端部を構成するものであり、データ端子と充電端子とを有するものである。このため、図５に示したように、外部端子４１１には、外部Ｉ／Ｆ４１２と、充電電流供給回路４１３とが接続されている。外部端子４１１に携帯電話端末５などの外部機器が接続されると、外部Ｉ／Ｆ４１２は、当該携帯電話端末５との間で接続時の信号のやり取りをすることにより、携帯電話端末５が接続されたことを検知し、これを制御部４３０に通知する。これにより、制御部４３０は、外部端子４１１を通じて自機に携帯電話端末５が接続されたことを認識することができる。
【００７１】
また、外部Ｉ／Ｆ４１２は、外部端子４１１を通じて供給される携帯電話端末５からのデータを受け付けて、これを自機において処理可能な形式のデータに変換して制御部４３０に供給する。さらに、外部Ｉ／Ｆ４１２は、外部端子４１１に接続された携帯電話端末５に供給する制御部４３０からのデータを出力用の所定の形式のデータに変換して、これを、外部端子４１１を通じて出力する。
【００７２】
充電電流供給回路４１３は、ＡＣコンセント４１４から送られてくる商用交流電圧から直流の充電電流を生成する。そして、充電電流供給回路４１３は、外部Ｉ／Ｆ４１２からの携帯電話端末５がＩＰ電話端末４に接続されたことの検知通知に基づく制御部４３０の制御により駆動状態に制御されて、充電電流を、外部端子を通じて携帯電話端末５に供給する。
【００７３】
このように、この実施の形態のＩＰ電話端末４は、外部端子４１１を通じて携帯電話端末５などの外部機器の接続を可能にし、接続された外部機器との間で情報の送受を行うことができると共に、外部機器に対して電力の供給をも行うことができる。外部機器は、外部端子４１１を通じて供給されるＩＰ電話端末４からの電力を充電電力として用いたり、駆動電力として用いたりすることができる。なお、外部端子４１１、外部Ｉ／Ｆ４１２、充電電流供給回路４１３からなる部分は、ＵＳＢ規格に準拠したものである。
【００７４】
そして、この実施の形態のＩＰ電話端末４は、外部端子４１１を通じて接続される携帯電話端末５と協働するための部分として、発信等処理部４２１と、端末表示制御部４２２とを備える。発信等処理部４２１は、主に、自機に接続された携帯電話端末５から提供される電話番号に基づいて発信メッセージ（ＩＮＶＩＴＥメッセージ）を形成して発信処理を行う部分である。
【００７５】
また、発信等処理部４２１は、携帯電話端末５から提供される携帯電話端末５において表示中の電子メール情報の所在を示すＵＲＬの提供を受けて、これをＩＮＶＩＴＥメッセージのユーザインフォメーションやアラートインフォメーションに記載することができるものである。また、端末表示制御部４２２は、自機に外部端子４１１を通じて接続されている携帯電話端末５のディスプレイ５２４への情報の表示を制御するようにするためのものである。これら発信等処理部４２１と端末表示制御部４２２とにより、自機に外部端子４１１を通じて接続されている携帯電話端末５との連携を図ることができるようにしている。
【００７６】
また、図５において、二重線で示したパケット処理部４０３、発信等処理部４２１、端末表示制御部４２２のそれぞれは、独立した回路部分として示しているが、これに限るものではない。これらの各部の機能は、制御部４３０において実行されるプログラムにより、制御部４３０の機能として実現することも可能である。
【００７７】
［携帯電話端末５の構成例］
次に、この実施の形態の電話システムで用いられる携帯電話端末５の構成について説明する。図６は、この実施の形態の電話システムの携帯電話端末５の構成例を説明するためのブロック図である。
【００７８】
図６に示すように、この実施の形態の携帯電話端末５は、無線通信処理系として、送受信アンテナ５０１、電話通信部５０２、送受信信号処理部５０３、通話音声処理部５０４を備えている。通話音声処理部５０４には、受話アンプ５０５を通じて受話器（スピーカ）５０６が接続され、また、送話器（マイクロホン）５０７が、送話アンプ５０８を通じて接続されている。
【００７９】
また、携帯電話端末５は、電話帳メモリ５１０を備えると共に、自機が接続されたＩＰ電話端末４との連携を実現する部分として、情報通知処理部５１１および表示情報処理部５１２を備えている。また、携帯電話端末５は、ユーザインターフェースを構成する部分として、操作入力部５２１、操作入力Ｉ／Ｆ５２２、ディスプレイコントローラ５２３、ディスプレイ５２４、リンガ５２５を備えている。なお、図示しないが、携帯電話端末５には、着信などを通知するためのバイブレータなども設けられている。さらに、携帯電話端末５は、外部端子５３１、外部Ｉ／Ｆ５３２、充電回路５３３、バッテリ５３４を備えると共に、携帯電話端末５の各部を制御する制御部５４０を備えている。
【００８０】
制御部５４０は、ＣＰＵ５４１、ＲＯＭ５４２、ＲＡＭ５４３、ＥＥＰＲＯＭ５４４が、ＣＰＵバス５４５を通じて接続されて形成されたマイクロコンピュータである。ここで、ＣＰＵ５４１は、ＲＯＭ５４２に記憶されているプログラムを読み出して実行し、各部に供給する制御信号を形成して、これを各部に供給したり、各部から送信されてくるデータを受け付けて、これに応じた処理を実行したりする。ＲＯＭ５４２は、ＣＰＵ５４１において実行されるプログラムや処理に必要になる種々のデータが予め記録されたものである。
【００８１】
また、ＲＡＭ５４３は、処理の途中結果を一時記憶するなど、主に作業領域として用いられるものである。また、ＥＥＰＲＯＭ５４４は、いわゆる不揮発性メモリであり、携帯電話端末５の電源を落としても保持しておくべきデータ等が記憶保持される。ＥＥＰＲＯＭ５４４には、例えば、種々の設定パラメータ、アプリケーションプログラムや機能アップのための追加プログラムなどが記憶保持される。
【００８２】
送受信アンテナ５０１は、携帯電話網との間でデータを送受する端部である。電話通信部５０２は、携帯電話網の基地局を通じて相手と通信をするためのものである。送受信信号処理部５０３は、制御部５４０の制御の下、電話通信部５０２を通じて受信した通信情報を解析して、呼制御メッセージや通話信号をデコードし、制御部５４０に供給すると共に、電話通信部５０２を通じて送信する送信信号を生成する。
【００８３】
通話音声処理部５０４は、制御部５４０の制御の下、送受信信号処理部５０３からの受話音声情報を、デジタル信号からアナログ信号に変換し、受話アンプ５０５に供給する。受話アンプ５０５に供給された受話音声信号は、ここで増幅された後に受話器５０６に供給されて音響再生される。通話音声処理部５０４は、また、送話器５０７で収音され、送話アンプ５０８で増幅された送話音声信号を、アナログ信号からデジタル信号に変換して、制御部５４０の制御の下、送受信信号処理部５０３に供給する。そして、上述したように、送受信信号処理部５０３は、通話音声処理部５０４からのデジタル化された送話音声信号から送信する送信信号を生成し、これを電話通信部５０２に供給して送信するようにする。
【００８４】
操作入力部５２１は、数字キー、オフフックキー、オンフックキー、その他の各種のファンクションキー等が設けられ、ユーザからの操作入力を受け付ける部分である。操作入力部５２１を通じて受け付けられたユーザからの操作入力は、操作入力Ｉ／Ｆ５２２において電気信号に変換されて、制御部５４０に通知される。これにより、制御部５４０が操作入力Ｉ／Ｆ５２２からの信号に応じて各部を制御することにより、ユーザの指示に応じて処理を行うことができるようにされる。
【００８５】
ディスプレイコントローラ５２３は、制御部５４０の制御に応じてディスプレイ５２４に情報を表示するための表示用信号を形成し、これをディスプレイ５２４に供給する。これによりディスプレイ５２４には、種々の情報が表示される。例えば、着信時においては、発信元の電話番号や名前、発信時においては、後述する電話帳メモリ５１０に登録されている電話帳データ等が表示される。この他、待ち受け時においては、所定の待ち受け画面をディスプレイ５２４に表示したり、各種のエラーメッセージやガイダンスメッセージなども表示したりすることもできるようにされる。
【００８６】
外部端子５３１は、ＩＰ電話端末４との接続端部を構成するものであり、データ端子と充電端子とを有するものである。このため、図６に示したように、外部端子５３１には、外部Ｉ／Ｆ５３２と、充電回路５３３とが接続されている。
【００８７】
外部Ｉ／Ｆ５３２は、外部端子５３１を通じて接続されたＩＰ電話端末４との間でデータを送受するためのものである。外部端子５３１にＩＰ電話端末４が接続されると、外部Ｉ／Ｆ５３２は、当該ＩＰ電話端末４との間で接続時の信号のやり取りをすることにより、ＩＰ電話端末４に接続されたことを検知し、制御部５４０に通知する。これにより、制御部５４０は、外部端子５３１を通じて自機がＩＰ電話端末４に接続されたことを認識することができる。
【００８８】
また、外部Ｉ／Ｆ５３２は、外部端子５３１を通じて供給されるＩＰ電話端末４からのデータを受け付けて、これを自機において処理可能な形式のデータに変換して制御部５４０に供給する。また、外部Ｉ／Ｆ５３２は、外部端子５３１に接続されたＩＰ電話端末４に供給する制御部５４０からのデータを出力用の所定の形式のデータに変換して、これを外部端子５３１を通じて出力する。
【００８９】
充電回路５３３は、外部端子５３１の充電端子を通じてＩＰ電話端末４から送られてくる充電電流からバッテリに供給する電流を生成する。そして、充電回路５３３は、外部Ｉ／Ｆ５３２からのＩＰ電話端末４に接続されたことの検知通知に基づく制御部５４０の制御により駆動状態に制御されて、充電用に生成した電流をバッテリ５３４に供給する。これにより携帯電話端末５のバッテリ５３４の充電が行われる。これら外部端子５３１、外部Ｉ／Ｆ５３２、充電回路５３３からなる部分は、ＵＳＢ規格に準拠したものである。また、ＩＰ電話端末４からの電流を駆動電流として用いるようにすることもできる。
【００９０】
また、携帯電話端末５は電話帳メモリ５１０を備えている。電話帳メモリ５１０には、通信の相手先（電話をかけたり、電話がかかってきたりする可能性のある相手先や電子メールの送信元や送信先となる相手先）の電話番号、名前、電子メールアドレス、住所、会社名といった種々の情報からなる電話帳データが多数記録されている。この電話帳メモリ５１０の電話帳データは、通常、目的とする相手先に電話をかける場合に用いたり、電話がかかってきたときに当該相手先の名前などを通知される電話番号に基づいて表示したりする場合に用いられる。
【００９１】
また、この実施の形態の携帯電話端末５は、携帯電話網を通じてインターネットに接続し、Ｗｅｂページの閲覧、データのダウンロードやアップロード、電子メールの送受信などをも行うことができるものである。この場合、制御部５４０において、ブラウザやメーラーといったプログラム（ソフトウェア）が実行される。そして、制御部５４０の制御の下、送受信信号処理部５０３、電話通信部５０２、送受信アンテナ５０１が機能し、インターネットに接続して、Ｗｅｂページや自機宛ての電子メール情報等の目的とする情報の提供を受けて、これを制御部５４０及びディスプレイコントローラ５２３を通じてディスプレイ５２４に表示するなどのことができるようにされる。また、携帯電話端末５において作成した電子メール情報等を、インターネット上に設けられた相手先のメールサーバやＷｅｂサービスサーバ８などに送信することもできるようにされる。
【００９２】
そして、携帯電話端末５が外部端子５３１を通じてＩＰ電話端末４に接続されている場合に、上述もしたようにＷｅｂサービスサーバ８に格納するようにした電子メール情報がディスプレイ５２４に表示されたとする。当該電子メール情報のディスプレイ５２４への表示は、操作入力部５２１を通じて受け付けたユーザからの指示入力に応じて、制御部５４０がディスプレイコントローラ５２３を制御して行う。また、当該電子メール情報の特積場所（所在）を示すＵＲＬは、Ｗｅｂサービスサーバ８から提供を受けて、携帯電話端末５の例えばＥＥＰＲＯＭ５４４に記憶保持されている。この場合に、ＩＰ電話端末４が発信操作を受け付けると、携帯電話端末５とＩＰ電話端末４とが協働して、表示されている電子メール情報の相手先に自動的に電話をかけることができるようにしている。
【００９３】
この場合、情報通知処理部５１１は、電子メール情報に含まれる送信元、宛先などの電子メールアドレスの内、携帯電話端末５のユーザの電子メールアドレスとは異なる電子メールアドレスを取得する。この取得した電子メールアドレスに基づいて、情報通知処理部５１１は、電話帳メモリ５１０の情報を参照し、当該電子メールアドレスに対応する電話番号を取得する。なお、携帯電話端末５のユーザの電子メールアドレスは、例えば、ＥＥＰＲＯＭ５４４などの所定のメモリに予め登録するようにされているものである。
【００９４】
さらに、情報通知処理部５１１は、上述のようにして特定した電話をかける相手先の電話番号と、ディスプレイ５２４の表示画面に表示している電子メール情報の蓄積場所を示すＵＲＬを、自機が接続されているＩＰ電話端末４に通知する。このようにして、発信時において、ＩＰ電話端末４が必要とする情報を、携帯電話端末５からＩＰ電話端末４に提供することができるようにしている。
【００９５】
また、表示情報処理部５１２は、ＩＰ電話端末４の端末表示制御部４２２の機能により当該ＩＰ電話端末４から提供される表示情報を、ディスプレイコントローラ５２３と協働してディスプレイ５２４に表示する処理を行う。例えば、ＩＰ電話端末４から提供されるＵＲＬなどの情報をディスプレイ５２４に表示するほか、通信の状態通知に基づいて、「発信中」、「通話中」などの現在の通信の状態をディスプレイ５２４に表示するなどの処理も行う。このように、主に情報通知処理部５１１と表示情報処理部５１２とが、携帯電話端末５側における、ＩＰ電話端末４と連携するために機能する部分である。
【００９６】
なお、図６において、二重線で示した情報通知処理部５１１、表示情報処理部５１２とは、それぞれ独立した回路部分として示しているが、これに限るものではない。情報通知処理部５１１、表示情報処理部５１２のそれぞれは、制御部５４０において実行されるプログラムにより、制御部５４０の機能として実現することももちろん可能である。
【００９７】
［電話システムの動作（処理）］
次に、図１に示した電話システムにおいて、電話システムＡのＩＰ電話端末４Ａから電話システムＢのＩＰ電話端末４Ｂに電話をかける場合の動作（処理）について具体的に説明する。この場合、発信元のＩＰ電話端末４Ａに対しては携帯電話端末５Ａが接続され、また、着信先のＩＰ電話端末４Ｂに対しては携帯電話端末５Ｂが接続される。そして、発信元のＩＰ電話端末４Ａのユーザは、着信先のＩＰ電話端末４Ｂのユーザに対して参照して欲しい電子メール情報があるものとする。
【００９８】
図７、図８は、この実施の形態の電話システムにおいて、電話システムＡのＩＰ電話端末４Ａから電話システムＢのＩＰ電話端末４Ｂに電話をかける場合の動作（処理）について説明するためのシーケンス図である。また、図９は、発信元と着信先における表示画面への情報の表示例について説明するための図である。
【００９９】
上述もしたように、電話システムＡのＩＰ電話端末４Ａと携帯電話端末５Ａとは、ＵＳＢケーブル１０を用いて接続される。携帯電話端末５Ａの制御部５４０は、外部端子５３１及び外部Ｉ／Ｆ５３２を通じてＩＰ電話端末４Ａと通信を行うことにより、自機がＩＰ電話端末４Ａに接続されたことを検知する（ステップＳ１Ａ）。同様に、ＩＰ電話端末４Ａの制御部４３０は、外部端子４１１及び外部Ｉ／Ｆ４１２を通じて携帯電話端末５Ａと通信を行うことにより、自機に携帯電話端末５Ａが接続されたことを検知する（ステップＳ２Ａ）。
【０１００】
これ以降、ＩＰ電話端末４Ａと携帯電話端末５Ａとは、ＩＰ電話端末４Ａの外部端子４１１および外部Ｉ／Ｆ４１２と、携帯電話端末５Ａの外部端子５３１および外部Ｉ／Ｆ５３２と、ＵＳＢケーブル１０とを通じて、データの送受を行うことができるようにされる。
【０１０１】
同様に、電話システムＢのＩＰ電話端末４Ｂと携帯電話端末５Ｂとは、ＵＳＢケーブル１０を用いて接続される。携帯電話端末５Ｂの制御部５４０は、外部端子５３１及び外部Ｉ／Ｆ５３２を通じてＩＰ電話端末４Ｂと通信を行うことにより、自機がＩＰ電話端末４Ｂに接続されたことを検知する（ステップＳ１Ｂ）。同様に、ＩＰ電話端末４Ｂの制御部４３０は、外部端子４１１及び外部Ｉ／Ｆ４１２を通じて携帯電話端末５Ｂと通信を行うことにより、自機に携帯電話端末５Ｂが接続されたことを検知する（ステップＳ２Ｂ）。
【０１０２】
これ以降、ＩＰ電話端末４Ｂと携帯電話端末５Ｂとは、ＩＰ電話端末４Ｂの外部端子４１１および外部Ｉ／Ｆ４１２と、携帯電話端末５Ｂの外部端子５３１および外部Ｉ／Ｆ５３２と、ＵＳＢケーブル１０とを通じて、データの送受を行うことができるようにされる。
【０１０３】
そして、ＩＰ電話端末４Ａのユーザが、ＩＰ電話端末４Ｂのユーザに電話をかける必要が生じたが、上述したように、通話時にＩＰ電話端末４Ｂのユーザに参照して欲しい電子メール情報があるとする。この場合、ＩＰ電話端末４Ａのユーザは、まず、自己の携帯電話端末５Ａを用いて、Ｗｅｂサービスサーバ８にアクセスし、目的とする電子メール情報をＷｅｂサービスサーバ８の格納領域に蓄積（格納）する処理を実行する（ステップＳ３）。
【０１０４】
ステップＳ３では、携帯電話端末５ＡがＷｅｂサービスサーバ８から情報のエントリ画面の提供を受けて、操作入力部５２１を通じ、宛先、件名、本文の入力を行うことにより電子メール情報を作成し、これをＷｅｂサービスサーバ８に送信して蓄積することを要求する。この場合、自己の電子メールアドレスや送信日時などの情報も必要となるが、自己の電子メールアドレスは携帯電話端末５Ａが保持するものを、また送信日時は、図５には図示しなかったが携帯電話端末５Ａが有する時計回路から取得されたものが用いられる。
【０１０５】
なお、この例の場合、電子メール情報はＷｅｂサービスサーバ８に蓄積されるため、電子メールアドレスを実際に用いることはない。しかし、この例において、電子メールアドレスは送信元や送信先を示す識別情報として用いられるようにされている。また、この実施の形態において、携帯電話端末５Ａは、近隣の基地局９（ｎ）及び携帯電話網を通じてインターネットに接続し、Ｗｅｂサービスサーバ８にアクセスするようにしている。もちろん、携帯電話端末５Ａが、ＩＰ電話端末４Ａ及びＳＩＰサーバ１Ａを通じてインターネットに接続し、Ｗｅｂサービスサーバ８にアクセスするように構成することも可能である。
【０１０６】
そして、Ｗｅｂサービスサーバ８は、携帯電話端末５Ａから電子メール情報と蓄積要求を受け付けると、提供された電子メール情報を蓄積する共に、その蓄積（格納）場所を示すＵＲＬを形成し、これを要求元の携帯電話端末５Ａに返信する（ステップＳ４）。すなわち、ステップＳ４において、Ｗｅｂサービスサーバ８は、ＵＲＬによって特定可能な自機のハードディスク等の格納場所に当該電子メール情報を蓄積（格納）し、その格納場所を示すＵＲＬを要求元の携帯電話端末５Ａに返信する。
【０１０７】
携帯電話端末５Ａは、Ｗｅｂサービスサーバ８から提供を受けたＵＲＬを例えばＥＥＰＲＯＭ５４４に記憶する（ステップＳ５）。この場合、携帯電話端末５Ａのディスプレイ５２４の表示画面５２４Ｇには、例えば、図９Ａに示すように、Ｗｅｂサービスサーバ８に蓄積するようにした電子メール情報が表示された状態になっている（ステップＳ６）。
【０１０８】
この時に、ＩＰ電話端末４Ａのユーザにより、ＩＰ電話端末４Ａのハンドセット４４０がＩＰ電話端末４Ａの本体から取り上げられる操作（オフフック操作）が行われたとする（ステップＳ７）。このステップＳ７の操作は、オフフックキー（発信ボタン）などを押下する発信操作であってもよい。オフフック操作が行われたことは、オンフック／オフフック検出部４０６により検出され、制御部４３０に通知される。この場合、ＩＰ電話端末４Ａの制御部４３０は、携帯電話端末５Ａのディスプレイ５２４に表示されている電子メール情報に関係する相手先であって、電話をかける相手先の電話番号等の提供を要求する（ステップＳ８）。このステップＳ８の処理は、表示された電子メール情報に関する情報の提供要求であり、情報要求に相当する。
【０１０９】
情報要求の提供を受けた携帯電話端末５Ａにおいては、制御部５４０の制御の下、情報通知処理部５１１が機能し、ＩＰ電話端末４Ａに提供すべき情報を取得し、この取得した情報をＩＰ電話端末４Ａに提供する（ステップＳ９）。このステップＳ９において、情報通知処理部５１１は、表示されている電子メール情報に応じて特定した電話をかける相手先の電話番号と、Ｗｅｂサービスサーバ８から提供を受けたＵＲＬをＩＰ電話端末４Ａに提供する。
【０１１０】
なお、上述したように、携帯電話端末５Ａのディスプレイ５２４の表示画面５４２Ｇに表示されている電子メール情報は、当該携帯電話端末５Ａから送信したものであり、送信元の電子メールアドレスは、携帯電話端末５Ａのユーザのものである。このため、携帯電話端末５Ａのディスプレイ５２４の表示画面５２４Ｇに表示された電子メール情報が、図９Ａに示したものである場合、情報通知処理部５１１は、自機のユーザの電子メールアドレスとは異なる宛先である「第一営業部タナカ」さんの電子メールアドレスを、電話をかける相手先の電子メールアドレスとして抽出する。
【０１１１】
そして、情報通知処理部５１１は、抽出した「第一営業部タナカ」さんの電子メールアドレスに基づいて、自機の電話帳メモリ５１０のデータを参照し、「第一営業部タナカ」さんの電話番号を取得する。そして、情報通知処理部５１１は、取得した「第一営業部タナカ」さんの電話番号と、Ｗｅｂサービスサーバ８から提供され、ＥＥＰＲＰＭ５４４に保持しているＵＲＬとをＩＰ電話端末４Ａに提供する。
【０１１２】
このように、（１）電話をかける相手先の電子メールアドレスの抽出、（２）抽出した電子メールアドレスに基づく電話をかける相手先の電話番号の特定、（３）特定した電話番号と取得したＵＲＬとをＩＰ電話端末４Ａへの提供、という各処理が、ステップＳ９において行われる。
【０１１３】
この後、携帯電話端末５Ａからの電話番号等の情報の提供を受けたＩＰ電話端末４Ａは、提供を受けた電話番号等の情報をＲＡＭ４３３に一時記憶し、これを解析する処理（情報解析）を行う（ステップＳ１０）。この情報解析処理において、適正に電話番号等の情報の提供を受けたことが確認できた場合には、応答（２００  ＯＫ）を携帯電話端末５Ａに送信する。なお、携帯電話端末５Ａから電話番号等の情報が提供されなかった場合などには、電話番号等の情報の再送信を要求し、携帯電話端末５Ａから電話番号等の必要な情報の再送を受けるようにすることができる。
【０１１４】
携帯電話端末５からの電話番号や目的とする電子メール情報の所在を示すＵＲＬの提供を受けたＩＰ電話端末４Ａは、当該電話番号の相手先への発信を行うと共に、発信中であることの携帯電話端末５への通知を行う（ステップＳ１１）。このステップＳ１１において、ＩＰ電話端末４Ａにおいては、まず、制御部４３０の制御の下、発信等処理部４２１が機能し、携帯電話端末５から提供された電話番号の相手先への発信メッセージ（ＩＮＶＩＴＥメッセージ）を形成する。この場合、発信等処理部４２１は、当該ＩＮＶＩＴＥメッセージには発信元の電話番号を含める他、ユーザインフォメーションやアラートインフォメーションに、目的とする電子メール情報の所在を示すＵＲＬを記録する。
【０１１５】
発信等処理部４２１において形成されたＩＮＶＩＴＥメッセージは、制御部４３０、ＬＡＮＩ／Ｆ４０２、ＬＡＮ接続端子４０１を通じてＳＩＰサーバ１Ａに送信される。そして、ＳＩＰサーバ１Ａは、ＩＰ電話端末４ＡからのＩＮＶＩＴＥメッセージに応じて、電話をかける相手先を特定するようにし、当該電話をかける相手先に対して当該ＩＮＶＩＴＥメッセージを送信する。
【０１１６】
このようにして、ＩＰ電話端末４Ａからは、目的とする相手先対するＩＮＶＩＴＥメッセージのユーザインフォメーションまたはアラートインフォメーションには、目的とする電子メール情報の所在を示すＵＲＬが記録されて送信される。そして、図７に示すように、当該ＩＮＶＩＴＥメッセージは、着信先である電話システムＢのＳＩＰサーバ１Ｂを通じて、ＩＰ電話端末４Ｂに提供される。
【０１１７】
そして、この実施の形態の電話システムにおいては、図８に示すシーケンス図の処理に移行する。発信元であるＩＰ電話端末１Ａに接続された携帯電話端末５Ａでは、ステップＳ１１においてＩＰ電話端末４Ａから提供された発信通知に基づいて、自機のディスプレイに「発信中」であることを示す表示を行う（ステップＳ１２）。具体的には、図９Ａに示した携帯電話端末５Ａのディスプレイ５２４の表示画面５２４Ｇに表示されている電子メール情報において、宛先の表示である「第一営業タナカ様」の表示が点滅表示するなどのことが行われる。この他、表示画面５２４Ｇのいずれかの位置に「発信中」の文字を点滅表示させる種々の表示態様で、発信中であることを示すようにすることもできる。
【０１１８】
一方、着信先のＩＰ電話端末４Ｂは、発信元のＩＰ電話端末４ＡからのＩＮＶＩＴＥメッセージを受信すると、まず、ＩＮＶＡＩＴメッセージを受信したことを示す応答「２００  ＯＫ」を返信する（ステップＳ１３）。そして、着信先のＩＰ電話端末４Ｂは、受信したＩＮＶＩＴＥメッセージに含まれる目的とする電子メール情報の所在を示すＵＲＬを抽出し、これを自機に接続された携帯電話端末５Ｂに提供して、表示するように指示を出す（ステップＳ１４）。このステップＳ１４の処理は、ＩＰ電話端末４Ｂの制御部４３０と端末表示制御部４２２が機能し、外部Ｉ／Ｆ４１２及び外部端子４１１を通じて行われる。
【０１１９】
そして、ＵＲＬの表示指示を受けた携帯電話端末５Ｂでは、表示情報処理部５１２が機能し、ＩＰ電話端末４Ｂから表示が指示されたＵＲＬを、ディスプレイコントローラ５２３を通じてディスプレイ５２４の表示画面５２４Ｇに表示する（ステップＳ１５）。この場合、携帯電話端末５Ｂのディスプレイ５２４の表示画面５２４Ｇには、図９Ｂに示すように、電子メール情報の参照を促すメッセージと共に、当該電子メール情報の蓄積場所（所在）を示すＵＲＬが表示される。
【０１２０】
そして、この例の場合、当該ＵＲＬの表示部分にカーソルを位置付けて選択したり、あるいは、ＵＲＬが表示画面上において反転表示されているときに決定キーを押下操作したりする所定の操作を行う。これにより、制御部５４０が機能して当該ＵＲＬにより特定される蓄積場所にアクセスし、参照することが求められている電子メール情報をダウンロードして表示することができるようにされている。
【０１２１】
このため、携帯電話端末５Ｂの制御部５４０が、ディスプレイ５２４の表示画面５２４Ｇに表示されたＵＲＬを選択する所定の操作入力を、操作入力部５２１を通じて受け付けたとする。この場合、制御部５４０は、当該ＵＲＬを用いた目的とする電子メール情報の提供要求を形成し、これを送信信号処理部５０３、電話通信部５０２、送受信アンテナ５０１を通じてＷｅｂサービスサーバ８に送信する（ステップＳ１６）。すなわち、ステップＳ１６の処理は、携帯電話端末５Ｂが、携帯電話網を通じて、発信元から提供されたＵＲＬを用いてＷｅｂサービスサーバ８にアクセスし、目的とする電子メール情報の提供を要求する処理である。
【０１２２】
これに応じて、Ｗｅｂサービスサーバ８は、当該ＵＲＬが用いられて要求された電子メール情報を要求元の携帯電話端末５Ｂに提供する（ステップＳ１７）。当該電子メール情報の提供を受けた携帯電話端末５Ｂは、制御部５４０およびディスプレイコントローラ５２３が機能し、ディスプレイ５２４の表示画面に、Ｗｅｂサービスサーバ８からの電子メール情報を表示する（ステップＳ１８）。これにより、着信先のＩＰ電話端末４Ｂのユーザは、自己の携帯電話端末５Ｂを通じて、発信元が見ることを求めてきた電子メール情報を見る（閲覧する）ことができるようにされる。
【０１２３】
なお、ユーザの操作を待つまでもなく、携帯電話端末５の制御部５４０が機能し、ＩＰ電話端末４ＢからのＵＲＬを用いて自動的にＷｅｂサービスサーバ８にアクセスし、蓄積されている電子メール情報をダウンロードして表示するようにすることもできる。
【０１２４】
この後、着信先のＩＰ電話端末４ＢのユーザがＩＰ電話端末４Ｂのハンドセット４４０を持ち上げるなどのオフフック操作を行うと、オフフック状態になったことがオンフック／オフフック検出部４０６により検出されて制御部４３０に通知される。制御部４３０は着信応答メッセージを形成し、これをＬＡＮＩ／Ｆ４０２及び接続端子４０１を通じてＳＩＰサーバ１Ｂに送出し、ＳＩＰサーバ１Ｂから発信元に送信するようにする（ステップＳ１９）。
【０１２５】
これにより、発信元のＩＰ電話端末４Ａに着信応答が送信され、発信元のＩＰ電話端末４Ａと着信先のＩＰ電話端末４Ｂとの間に通信路（通信回線）が接続されて、通話を行うことができるようにされる（ステップＳ２０）。そして、上述したように、発信元の携帯電話端末５Ａのディスプレイ５２４の表示画面５２４Ｇにも、着信先の携帯電話端末５Ｂのディスプレイ５２４の表示画面５２４Ｇにも、同じ電子メール情報が表示される。これにより、ＩＰ電話端末４ＡのユーザとＩＰ電話端末４Ｂのユーザは、同じ電子メール情報を見ながら（確認しながら）、通話を行うことができるようにされる。
【０１２６】
なお、ここでは、図７、図８を用いて説明したように、着信先の携帯電話端末５Ｂにおいて、参照することが求められた電子メール情報を表示した後に、ＩＰ電話端末４Ｂに対して応答操作を行うものとして説明したが、これに限るものではない。例えば、ステップＳ１５の処理に後に、ＩＰ電話端末４Ｂを通じて着信応答を行い（ステップＳ１９）、通信路を接続して通話を行える状態にする（ステップＳ２０）。この後に、ステップＳ１６〜ステップＳ１８の処理を行って、電子メール情報の携帯電話端末５Ｂへの表示を行うようにしてもよい。
【０１２７】
［表示情報の変更処理］
図７〜図９を用いて説明したように通信路を接続して通話が開始された後に、携帯電話端末５Ａ、５Ｂを通じて閲覧する情報が例えばＷｅｂページなどに変更される場合がある。このような場合にも、どのような情報を閲覧するようにしたかを、通話の相手先との間で相互に通知し合うことができるようにすれば、通話の途中においても、閲覧する表示情報を共通にすることができる。そこで、この実施の形態の電話システムにおいては、通話中において送受されるＩＮＶＩＴＥメッセージを用いて、変更後の表示情報の所在を通知することができるようにしている。
【０１２８】
図１０は、通話中に表示情報の変更が生じた場合に、変更後の表示情報の所在を示す情報を送受する場合の動作（処理）について説明するためのシーケンス図である。上述した図７、図８に示したシーケンス図の動作（処理）により、図１０の上端側に示すように、発信元のＩＰ電話端末４Ａと着信先のＩＰ電話端末４Ｂとの間に通信路が接続され、通話が開始されたとする（ステップＳ２０）。
【０１２９】
そして、通話中において、発信元と着信先との双方で、所定のＷｅｂページの内容を確認しあう必要が生じたとする。このとき、発信元のユーザが、携帯電話端末５ＡにおいてＷｅｂページの閲覧ソフトウェアであるブラウザを立ち上げ、当該所定のＷｅｂページをディスプレイ５２４の表示画面５２４Ｇに表示するようにしたとする（ステップＳ３１）。このように、表示情報が変更された場合に、情報通知処理部５１１は、制御部５４０と協働し、ディスプレイ５２４に表示したＷｅｂページのＵＲＬを、自機が接続されているＩＰ電話端末４Ａに通知する（ステップＳ３２）。
【０１３０】
ＩＰ電話端末４Ａは、通信路が接続されていることを確認するために、所定タイミング毎にＩＮＶＩＴＥメッセージを、通信路の接続先に送信する。そこで、ＩＰ電話端末４Ａの発信等処理部４２１は、当該ＩＮＶＩＴＥメッセージの所定の領域に、新たに表示するようにしたＷｅｂページのＵＲＬを記載し、これを通信路の接続先に対して送信する（ステップＳ３３）。これにより、ＩＰ電話端末４Ａ側の携帯電話端末５Ａのディスプレイ５２４に表示されたＷｅｂページの所在を示すＵＲＬが、通信路の接続先であるＩＰ電話端末４Ｂに通知される。なお、ＩＮＶＩＴＥメッセージを受信したＩＰ電話端末４Ｂは、ＩＮＶＩＴＥメッセージを受信したことを示す応答（２００  ＯＫ）を返信する。これにより、相互に通信路が接続されていることを確認することができる。
【０１３１】
そして、ＩＮＶＩＴＥメッセージを受信したＩＰ電話端末４Ｂは、端末表示制御部４２２が機能し、当該ＩＮＶＩＴＥメッセージに含まれるＵＲＬを自機に接続されている携帯電話端末５Ｂに提供し、これを表示することを指示する（ステップＳ３４）。携帯電話端末５Ｂは、当該指示に応じて、例えば、図９Ｂに示した態様して、ＵＲＬを表示し、当該ＵＲＬで特定されるＷｅｂページの表示を促すようにする（ステップＳ３５）。
【０１３２】
そして、携帯電話端末５Ｂの制御部５４０が、携帯電話端末５Ｂの操作入力部５２１を通じて、ディスプレイ５２４の表示画面５２４Ｇに表示されたＵＲＬを選択する所定の操作入力を受け付けたとする。この場合、制御部５４０は、ブラウザを起動し、送受信信号処理部５０３、電話通信部５０２、送受信アンテナ５０１を通じて当該ＵＲＬにより特定されるＷｅｂページにアクセスし、当該Ｗｅｂページを自機のディスプレイ５２４に表示する（ステップＳ３６）。これにより、ＩＰ電話端末４Ｂ側においても、ＩＰ電話端末４Ａ側の携帯電話端末５Ａに表示されたＷｅｂページと同じＷｅｂページを閲覧することができるようにされる。
【０１３３】
また、電話をかけられた側（着信側）であるＩＰ電話端末４Ｂに接続された携帯電話端末５Ｂにおいて、別のＷｅｂページが参照するようにされる場合もある。例えば、携帯電話端末５Ｂにおいて、操作入力部５２１を通じて受け付けたユーザからの指示入力に応じて、携帯電話端末５Ｂの制御部５４０が機能し、別のＷｅｂページがディスプレイ５２４の表示画面５２４Ｇに表示されたとする（ステップＳ３７）。この場合、制御部５４０の制御の下、送受信信号処理部５０３、電話通信部５０２、送受信アンテナ５０１を通じて目的とする別のＷｅｂページにアクセスするようにされる。そして、当該別のＷｅｂページが制御部５４０およびディスプレイコントローラ５２３を通じてディスプレイ５２４の表示画面５２４Ｇに表示される。
【０１３４】
この場合、携帯電話端末５Ｂの情報通知処理部５１１は、制御部５４０と協働し、ディスプレイ５２４に表示した別のＷｅｂページのＵＲＬを、自機が接続されているＩＰ電話端末４Ｂに通知する（ステップＳ３８）。これにより、ＩＰ電話端末４Ｂは、自機に接続された携帯電話端末５Ｂにおいて、別のＷｅｂページが表示されたことを認識することができる。
【０１３５】
そして、ＩＰ電話端末４Ｂにおいては、発信等処理部４２１が機能し、ＩＮＶＩＴＥメッセージの例えばユーザインフォメーションに、新たに表示するようにしたＷｅｂページのＵＲＬを記載し、これを通信路の接続先に対して送信する（ステップＳ３９）。これにより、ＩＰ電話端末４Ｂ側の携帯電話端末５Ｂのディスプレイ５２４に表示されたＷｅｂページの所在を示すＵＲＬが、通信路の接続先であるＩＰ電話端末４Ａに通知される。また、ＩＮＶＩＴＥメッセージを受信したＩＰ電話端末４Ａは、ＩＮＶＩＴＥメッセージを受信したことを示す応答（２００  ＯＫ）を返信する。これにより、相互に通信路が接続されていることを確認することができる。
【０１３６】
そして、ＩＮＶＩＴＥメッセージを受信したＩＰ電話端末４Ａは、端末表示制御部４２２が機能し、当該ＩＮＶＩＴＥメッセージに含まれるＵＲＬを自機に接続されている携帯電話端末５Ａに提供し、これを表示することを指示する（ステップＳ４０）。携帯電話端末５Ａは、当該指示に応じて、例えば、図９Ｂに示した態様して、ＵＲＬを表示し、当該ＵＲＬで特定されるＷｅｂページの表示を促すようにする（ステップＳ４１）。
【０１３７】
そして、携帯電話端末５Ａの制御部５４０が、携帯電話端末５Ａの操作入力部５２１を通じて、ディスプレイ５２４の表示画面５２４Ｇに表示されたＵＲＬを選択する所定の操作入力を受け付けたとする。この場合、制御部５４０は、ブラウザを起動し、送受信信号処理部５０３、電話通信部５０２、送受信アンテナ５０１を通じて当該ＵＲＬにより特定されるＷｅｂページにアクセスし、当該Ｗｅｂページを自機のディスプレイ５２４に表示する（ステップＳ４２）。これにより、ＩＰ電話端末４Ａ側においても、ＩＰ電話端末４Ｂ側の携帯電話端末５Ｂに表示されたＷｅｂページと同じＷｅｂページを閲覧することができる。
【０１３８】
このように、通話中において、ＩＰ電話端末４Ａ、４Ｂのそれぞれに接続された携帯電話端末５Ａ、５Ｂで表示される表示情報が変わる毎に、表示情報の所在を示すＵＲＬを送受し合うことにより、同じ表示画像を観視することができるようにされる。これにより、通話中であっても、ＵＲＬの手入力などを行うことなく、目的とする表示画像のＵＲＬの提供を受けて、目的とするＷｅｂページの表示を行うことができるようにされる。
【０１３９】
なお、ここでは、Ｗｅｂページを表示する場合を例にして説明したが、これに限るものではない。図７、図８を用いて説明したように、携帯電話端末５Ａ、５Ｂを用いて、Ｗｅｂサービスサーバ８に蓄積するようにした電子メール情報の格納場所を示すＵＲＬを、通信路を接続したＩＰ電話端末４ＡとＩＰ電話端末４Ｂとの間で通知し合うようにすることもできる。
【０１４０】
［履歴情報の利用］
図７を用いて上述したように、この実施の形態の電話システムにおいては、通話時に通話の相手先と共に見たい電子メール情報を、Ｗｅｂサービスサーバ８にアップロードする。そして、目的とする相手先においては、通話の相手先がアップロードした電子メール情報を、通知されたＵＲＬを用いてダウンロードすることにより見ることができるようにされる。そして、Ｗｅｂサービスサーバ８に蓄積されている電子メール情報に基づいて、宛先、送信日時、件名等からなる電子メール情報の履歴情報を形成することができる。
【０１４１】
また、この実施の形態の電話システムにおいては、電子メール情報を表示した状態で電話をかけるようにした場合には、電話番号の入力や選択をすることなく、当該電子メール情報の宛先に対して電話をかけることができる。このため、このような電話の発信時において、電話をかけた相手先の電話番号、発信日時、表示されていた電子メールの宛先の名前や件名等を、ＩＰ電話端末４のＥＥＰＲＯＭ４３４などに蓄積しておく。これにより、電話の発信履歴をＩＰ電話端末４のＥＥＰＲＯＭ４３４に形成することができる。
【０１４２】
また、電子メール情報を表示した状態における発信時において、ＩＮＶＩＴＥメッセージの例えばＤｉｓｐｌａｙＮａｍｅに、表示されている電子メール情報の件名や送信日時を記載して発信するようにする。このようにすれば、件名や送信日時を発信時において相手先（着信先）のＩＰ電話端末４に通知することができる。そして、電話をかけた相手先（着信先）のＩＰ電話端末４においても、受信したＩＮＶＩＴＥメッセージに含まれる発信元の電話番号や、当該ＩＮＶＩＴＥメッセージのＤｉｓｐｌａｙＮａｍｅに記載された件名や送信日時を抽出する。そして、抽出した情報をＩＰ電話端末４のＥＥＰＲＯＭ４３４に記憶保持する。これにより、ＩＰ電話端末４は、自機にかかってきた電話の着信履歴をも形成し、これを記憶保持することができる。
【０１４３】
そして、目的とする相手先に対して電話をかける場合に、携帯電話端末５において、当該相手先に送信した電子メール情報の送信履歴と、当該相手先にかけた電話の発信履歴と、当該相手先からかかってきた電話の着信履歴とをあわせた通信履歴を形成する。このようにして形成する通信履歴を、電話をかける前に携帯電話端末５のディスプレイ５２４に表示して見ることができるようにする。これにより、電話をかける相手先との間において、今までにどのような通信を行ったかを確認しながら電話をかけて通話することができる。また、携帯電話端末５に表示するようにした通信履歴に基づいて、目的とする相手先に対して電話をかけることもできるようにされる。
【０１４４】
図１１は、通信の履歴情報の表示と発信処理について説明するためのシーケンス図である。なお、図１１では省略したが、この例においても、図７の上端側に示したステップＳ１Ａ、ステップＳ２Ａ、ステップＳ１Ｂ、ステップＳ２Ｂの処理と同様の処理が行われる。これにより、ＩＰ電話端末４Ａと携帯電話端末５ＡとがＵＳＢケーブル１０により接続され、また、ＩＰ電話端末４Ｂと携帯電話端末５ＢとがＵＳＢケーブル１０により接続されたことが、そのそれぞれの機器において認識するようにされる。
【０１４５】
そして、この例では、携帯電話端末５Ａの制御部５４０が、操作入力部５２１を通じてユーザによる通信履歴の表示指示を受け付けたとする（ステップＳ５１）。このステップＳ５１の処理は、所定の操作に応じてディスプレイ５２４に表示されるメニューから、通信履歴の表示に対応する項目の選択指示（通信履歴表示指示）を受け付ける処理である。
【０１４６】
通信履歴表示指示を受け付けると、携帯電話端末５Ａの制御部５４０は、送受信信号処理部５０３、電話通信部５０２、送受信アンテナ５０１を通じてインターネットに接続し、Ｗｅｂサービスサーバ８にアクセスする。そして、携帯電話端末５Ａの制御部５４０は、目的とする相手先への電子メール情報の蓄積履歴情報の提供要求を形成し、これをＷｅｂサービスサーバ８に送信する（ステップＳ５２）。Ｗｅｂサービスサーバ８は、当該提供要求に応じて、指示された相手先への電子メール情報の蓄積履歴を形成し、これを要求元の携帯電話端末５Ａに提供する（ステップＳ５３）。この場合、電子メール情報の蓄積履歴は、宛先（電子メールアドレス、名前）、送信日時、件名、当該電子メール情報の格納場所を示すＵＲＬ等からなる情報である。
【０１４７】
次に、携帯電話端末５Ａの制御部５４０は、外部端子５３１を通じて接続されているＩＰ電話端末４Ａに対して、目的とする相手先との間の電話の発信履歴と着信履歴の提供要求を形成し、外部Ｉ／Ｆ５３２及び外部端子５３１を通じてＩＰ電話端末４Ａに送信する（ステップＳ５４）。ＩＰ電話端末４Ａは、当該提供要求に応じて、指示された相手先との間の発信履歴と着信履歴を抽出し、これを要求元の携帯電話端末５Ａに提供する（ステップＳ５５）。この場合、電話の発信履歴、着信履歴は、相手先（電話番号、名前）、発信日時又は着信日時、発着信の別、件名等からなる情報である。
【０１４８】
携帯電話端末５Ａの制御部５４０は、上述のようにして提供を受けた電子メール情報の蓄積履歴、電話の発信履歴、着信履歴から、目的とする相手先についての通信履歴を形成し、これを表示する（ステップＳ５６）。図１２は、電子メールの蓄積履歴と電話の発信履歴と着信履歴とを合体させた通信履歴情報の例を説明するための図である。
【０１４９】
携帯電話端末５Ａの制御部５４０は、提供を受けた電子メールの蓄積履歴と電話の発信履歴と着信履歴とを合体させると共に、日時（送信日時、発信日時、着信日時）をキーにして並べ変え、これをディスプレイコントローラ５２３を通じてディスプレイ５２４の表示画面５２４に表示する。これにより、図１２に示したように、電話の発着信履歴と電子メールの送信履歴とを合体させた通信履歴情報を表示させることができる。なお、通信履歴情報のデータが多い場合には、携帯電話端末５において、表示をスクロールさせることができるようにされ、その全部を表示してユーザが見ることができるようにされる。
【０１５０】
図１２に示した履歴情報は、「第一営業部タナカ」さんとの間の通信履歴情報である。この場合、２０１１年３月３１日（木曜日）の１０時５４分に、「件名」を「来期目標の件」および「Ａ社対応打ち合わせ」として通知した電話による発信を行ったことが示されている。なお、件名の通知は、ＩＮＶＩＴＥメッセージのＤｉｓｐｌａｙＮａｍｅに記載することにより行われたものである。また、その前には、２０１１年３月３０日（水曜日）の１４時２８分に「件名」を「来期目標の件」とする電子メールを送信していることが示されている。
【０１５１】
また、２０１１年３月２２日（火曜日）の１１時０１分に「件名」を「Ａ社対応の件」として通知された電話の着信を受け、２０１１年３月２２日（火曜日）の１０時４５分に「件名」を「Ａ社対応の件」として通知された電話の着信を受けたが、不在で応答できなかったことが示されている。なお、着信に応答しなかった場合には、図１２に示したように、ＩＰ電話端末４の制御部４３０により「着信（不在）」として把握され、これが発着信の別を示す情報として管理される。さらに、図１２に示した履歴情報の場合には、２０１１年３月２１日（月曜日）の９時３０分に「件名」を「３月２２日のＡ社対応の件について」として通知した電話の発信を行い、２０１１年３月１７日（木曜日）の１７時１５分に「件名」を「Ａ社対応打合せ日程について」とする電子メールを送信していることを示している。
【０１５２】
そして、ＩＰ電話端末４Ａのユーザは、例えば、「第一営業部タナカ」さんに電話をかける前に、図１２に示した履歴情報を形成して携帯電話端末５のディスプレイ５２４に表示させる。これにより、今までの「第一営業部タナカ」さんとの間で行った電話や電子メールの通信のやり取りの状態を把握することができ、思い違いなどを生じさせることなく適切に連絡を取ることができるようにされる。
【０１５３】
また、図１２に示した履歴情報を携帯電話端末５Ａのディスプレイ５２４に表示し、目的とする表示項目にカーソルを位置付けた状態で、ＩＰ電話端末４Ａのハンドセット４４０を持ち上げるなどの発信操作を行ったとする。この場合には、図７を用いて説明したステップＳ７〜ステップＳ１１の処理と同様の処理が行うようにされ、当該履歴情報の相手先に対して自動的に発信して電話をかけることができるようにされる。
【０１５４】
なお、この例の場合、ステップＳ９において、携帯電話端末５ＡからＩＰ電話端末４Ａに通知される情報は、表示されている通信履歴情報の相手先の電話番号と件名と日時（送信日時、発信日時、着信日時）が通知される。また、カーソルが位置付けられている通信履歴上の項目が電子メール情報の送信履歴である場合には、その電子メール情報の蓄積場所（所在）を示すＵＲＬも通知される。
【０１５５】
そして、ステップＳ１１の発信処理においては、携帯電話端末５ＡからＵＲＬが通知された場合には、そのＵＲＬがＩＮＶＩＴＥメッセージの例えばユーザインフォメーションなどの所定の領域に記録される。また、件名や日時は、当該ＩＮＶＩＴＥメッセージのＤｉｓｐｌａｙＮａｍｅに記録される。このようにして、表示された目的とする通信の相手先との間で行うようにした通信についての履歴情報に基づいて、当該通信の相手先に対して電話をかけることもできるようにされる。この場合に、表示されている通信履歴上において、カーソルが位置付けられている項目に対応する例えば電子メール情報等の表示情報の所在を電話の相手先に通知することもできる。
【０１５６】
このようにして、目的とする相手先との間で行った通信に関する履歴情報を形成し、これを表示して確認することができる。また、当該履歴情報に基づいて、当該履歴情報の相手先に対して、電話番号の入力や選択を行うことなく、オフフック操作などの簡単な操作だけで発信を行うと共に、電子メール情報の履歴に基づいて発信した場合には、その格納場所を示すＵＲＬをも通知することができる。また、ＩＮＶＩＴＥメッセージのＤｉｓｐｌａｙＮａｍｅには、件名や日時（送信日時、発信日時、着信日時）示す情報が記録されているので、これを着信側で表示することにより、着信応答する前にある程度の要件を知ることもできるので、迅速な応答が期待できる。
【０１５７】
［変形例］
なお、上述した実施の形態においては、ＩＰ電話端末４に接続された携帯電話端末５側において、電話帳メモリ５１０の情報を参照し、電話をかける相手先の電話番号を取得するようにした。しかし、これに限るものではない。例えば、ＩＰ電話端末４の電話帳メモリ４１０にも、連絡を取り合う相手先の電子メールアドレスと電話番号とが対応付けられて記憶されている場合もある。この場合には、携帯電話端末５から電話をかける相手先の電子メールアドレスの提供を受けて、ＩＰ電話端末４側で当該電子メールアドレスに基づいて電話帳メモリ４１０の情報を参照し、電話をかける相手先の電話番号を特定することができる。
【０１５８】
また、上述した実施の形態においては、携帯電話端末５から送信した電子メールの宛先とされた相手先に電話をかけるものとして説明したが、これに限るものではない。携帯電話端末５が受信した電子メールをディスプレイ５２４に表示している場合には、自機のユーザは受信者であるので、当該電子メールの発信者（発信元）に電話をかけるようにすることもできる。この場合でも、携帯電話端末５に表示されている電子メール情報に含まれる電子メールアドレスと、当該携帯電話端末５に登録されている当該携帯電話端末５のユーザの電子メールアドレスとを比較することにより、相手先の電子メールアドレスを特定することができる。
【０１５９】
また、発信者や宛先以外にも、通常の電子メールの場合と同様に、例えば、ＣＣ（Carbon Copy）やＢＣＣ（Blind Carbon Copy）を用いた場合のように、宛先に複数の相手先が設定するようにされ、同じ電子メール情報を複数の人で共有するようにする場合もある。このような場合であっても、例えば、オフフック操作とオンフック操作とを繰り返すことにより、順次に電話をかける相手先の電子メールアドレスを替えて電話帳メモリ５１０を通じて相手先の電話番号を特定し、電話をかけるようにすることもできる。
【０１６０】
これにより、同じ電子メール情報の複数の送信先、あるいは、その電子メールの発信元と自機を除く複数の送信先に対して、順番に電話をかけるようにすることもできる。このように、電話をかける相手先を替える場合であっても、ＩＮＶＩＴＥメッセージの所定のエリアに当該電子メール情報の格納場所を示すＵＲＬを記載することによって、電話をかけるようにした相手先に対して、当該ＵＲＬを提供し、電子メール情報を共有することができるようにされる。
【０１６１】
また、携帯電話端末５側に、携帯電話端末５がＩＰ電話端末４に接続された場合におけるＩＰ電話端末としての発信処理機能や着信処理機能を設けるようにすることによって、ＩＰ電話端末４の構成を簡単にすることができる。すなわち、ＩＰ電話端末４に携帯電話端末５が接続された場合においてのみ、ＳＩＰサーバ１の配下の電話端末として機能することができるようにする。
【０１６２】
この場合、携帯電話端末５に発信等処理部４２１を設けるようにすればよい。また、ハンドセット４４０以外のユーザインターフェースは、携帯電話端末５のディスプレイ５２４や操作入力部５２１を用いるようにする。このようにすれば、ＩＰ電話端末４に、ディスプレイコントローラ４１５およびディスプレイ４１６、操作入力部４０８および操作入力Ｉ／Ｆ４０８を設ける必要もないようにすることができる。
【０１６３】
また、上述した実施の形態においては、電話の発信元と着信先とで共通に用いるようにする表示情報は、電子メール情報やＷｅｂページであるある場合を例にして説明したが、これに限るものではない。例えば、Ｗｅｂサービスサーバ８等を通じて、写真等の静止画や動画を共用するようにすることもできる。すなわち、電話の発信元と着信先とで共通に用いるようにする表示情報は、表示可能な種々の情報とすることができる。
【０１６４】
また、上述した実施の形態においては、図１１を用いて説明したように、発信前に通信履歴を形成して表示するようにした。しかし、これに限るものではない。電話番号を入力するなどして発信を行うようにした後に、その相手先との間における通信の履歴情報を形成して表示することももちろんできる。そして、その通信履歴情報に含まれる電子メール情報の送信履歴に対応する項目を選択することにより、その電子メールの所在を示すＵＲＬを通信の相手先に通知することもできる。この場合の通知は、ＩＮＶＩＴＥメッセージを用いて行うことになる。
【０１６５】
また、通話時において参照したＷｅｂページや電子メール情報の所在を示すＵＲＬを通信履歴に含めるようにしてもよい。この場合には、通話の相手先の電話番号、参照したＷｅｂページのＵＲＬ、参照日時などの情報を保持するようにすればよい。また、発信前にＷｅｂページを参照した状態にある場合には、発信時に当該ＷｅｂページのＵＲＬを通話の相手先に通知することももちろん可能である。
【０１６６】
また、上述した実施の形態においては、通信の相手先に通知する電子メール情報やＷｅｂページ等の表示情報の所在を示すＵＲＬは、ネットワークを通じて取得するものとして説明したが、これに限るものではない。例えば、電子メール情報をＷｅｂサービスサーバ８に格納する場合に、携帯電話端末５側から用いるＵＲＬを指示するようにしてもよい。
【０１６７】
［この発明のプログラム］
なお、上述した実施の形態では、図７、図８、図１０、図１１において、携帯電話端末５において実行されるものとして示したステップの処理を実行するプログラムが、表示装置に搭載されたコンピュータが実行する電子メール情報提供プログラムに対応する。このプログラムを携帯電話端末などの通信端末に搭載することにより、この発明に用いられる表示装置を実現できる。
【０１６８】
また、図７、図８、図１０、図１１において、ＩＰ電話端末４において実行される処理として示したステップの処理を実行するプログラムが、ベース装置に搭載されたコンピュータが実行する発信処理プログラムに対応する。このプログラムをＩＰ電話端末等の電話端末に搭載することにより、この発明のベース装置を実現することができる。
【０１６９】
［実施の形態の装置や回路部と、請求項の装置や手段との対応］
また、上述した実施の形態からも明らかなように、携帯電話端末５のディスプレイ５２４が表示手段としての機能を実現し、携帯電話端末５の制御部５４０およびディスプレイコントローラ５２３により表示制御手段としての機能を実現している。また、ＩＰ電話端末４の主にハンドセット４４０、フックスイッチＳＷ、オンフック／オフフック検出部４０６、あるいは、操作入力部４０８のオフフックキーが受付手段としての機能を実現する。また、ＩＰ電話端末４の発信等処理部４２１が発信処理手段としての機能を実現している。
【０１７０】
また、携帯電話端末５の操作入力部５２１が、表示指示受付手段、変更指示受付手段としての機能を実現し、携帯電話端末５の主に制御部５４０が履歴形成手段、取得手段としての機能を実現している。また、携帯電話端末５の制御部５４０とディスプレイコントローラ５２３が履歴情報表示処理手段、表示情報表示処理手段としての機能を実現している。主にＩＰ電話端末４の発信等処理部４２１が送信手段としての機能を実現している。
【０１７１】
また、携帯電話端末５の外部端子５３１が表示装置側接続端部としての機能を実現し、ＩＰ電話端末４の外部端子４１１がベース装置側接続端部としての機能を実現している。また、携帯電話端末５の外部Ｉ／Ｆ５３２および制御部５４０が発信通知受付手段としての機能を実現し、携帯電話端末５の情報通知処理部５１１が通知手段としての機能を実現している。また、ＩＰ電話端末４Ａの主に制御部４３０および外部Ｉ／Ｆ４１２が発信通知提供手段、提供情報受付手段としての機能を実現している。
【０１７２】
［その他］
上述した実施の形態においては、例えば事業所内に形成される電話システムに提供した場合を例に説明したが、これに限るものではない。家庭に設置されるいわゆるＩＰ電話端末と携帯電話端末とにより構成されるシステムに、この発明を適用することができる。
【０１７３】
また、上述した実施の形態においては、ＩＰ電話端末４と携帯電話端末５とはＵＳＢ規格のインターフェースにより接続したが、これに限るものではない。例えば、ブルートゥース（Bluetooth）規格などの近距離無線通信インターフェースやＩｒＤＡ（Infrared Data Association）規格の赤外線による光無線データ通信インターフェースなどにより接続することも可能である。すなわち、有線、無線を問わず、種々のデジタルインターフェースによって接続することが可能である。
【０１７４】
また、上述した実施の形態においては、携帯電話端末を用いるようにしたが、これに限るものではない。パッド型情報端末やタブレッド型情報端末などと呼ばれる電子メール機能を備えた携帯通信端末や通信機能を備えたノート型パーソナルコンピュータなど、種々の通信端末を用いるようにすることもできる。したがって、携帯電話端末５の操作入力部５２１は、ディスプレイ５２４の表示画面に表示される表示情報と当該表示画面に貼付されるタッチパネルとにより実現されるいわゆるソフトウェアキーボードの構成とされる場合もある。
【０１７５】
また、必ずしもＩＰ電話端末と携帯電話端末などの通信端末とを接続して形成する電話システムに限るものでもない。例えば、電話通信と電子メールの送受が可能な単体の固定電話端末や携帯電話端末にもこの発明を適用することができる。例えば、携帯電話端末において、送信したり、受信したりした電子メール情報を自機のディスプレイに表示して閲覧しているときに、オフフックキーが操作されたとする。
【０１７６】
この場合に、その表示されている電子メール情報に含まれる相手先であって、自分以外の相手先の電話番号をその相手先の電子メールアドレスに基づいて電話帳メモリから特定し、その特定した電話番号の相手先に電話をかけるようにすることも可能である。この時に、ＩＮＶＩＴＥメッセージの所定のエリアに電子メール情報やＷｅｂページの所在を示すＵＲＬなどの情報を記録して発信を行うようにすればよい。
【０１７７】
また、上述した実施の形態においては、ＩＰ電話システムにこの発明を適用した場合を例にして説明したが、これに限るものではない。ＩＮＶＩＴＥメッセージに相当する発信メッセージや確認メッセージを送受することが可能な種々の通信プロトコルを用いる電話システムにこの発明を適用することができる。
【符号の説明】
【０１７８】
１…ＳＩＰサーバ、１０１…ＩＰ網への接続端子、１０２…ＩＰ網Ｉ／Ｆ、１０３…パケット分解／生成部、１０４…電話網Ｉ／Ｆ、１０５…電話網への接続端子、１０６…アドレス管理ＤＢ、１０７…ＬＡＮＩ／Ｆ、１０８…ＬＡＮへの接続端子、１１０…制御部、２…ＬＡＮ、４…ＩＰ電話端末、４０１…ＬＡＮ接続端子、４０２…ＬＡＮＩ／Ｆ、４０３…パケット処理部、４０４…通話音声入出力Ｉ／Ｆ、４０５…ハンドセット接続端子、４０６…オンフック／オフフック検出部、４０７…リンガ、４０８…操作入力部、４０９…操作入力Ｉ／Ｆ、４１０…電話帳メモリ、４１１…外部端子、４１２…外部Ｉ／Ｆ、４１３…充電電流供給回路、４１４…ＡＣコンセント、４１５…ディスプレイコントローラ、４１６…ディスプレイ、４２１…発信等処理部、４２２…端末表示制御部、４３０…制御部、４４０…ハンドセット、５…携帯電話端末、５０１…送受信アンテナ、５０２…電話通信部、５０３…送受信信号処理部、５０４…通話音声処理部、５０５…受話アンプ、５０６…受話器（スピーカ）、５０７…送話器（マイクロホン）、５０８…送話アンプ、５１０…電話帳メモリ、５１１…情報通知処理部、５１２…表示情報処理部、５２１…操作入力部、５２２…操作入力Ｉ／Ｆ、５２３…ディスプレイコントローラ、５２４…ディスプレイ、５２５…リンガ、５３１…外部端子、５３２…外部Ｉ／Ｆ、５３３…充電回路、５３４…バッテリ、５４０…制御部、６…ＩＰ網、７…電話網
【図１】
0005716912.tif 000002
【図２】
0005716912.tif 000003
【図３】
0005716912.tif 000004
【図４】
0005716912.tif 000005
【図５】
0005716912.tif 000006
【図６】
0005716912.tif 000007
【図７】
0005716912.tif 000008
【図８】
0005716912.tif 000009
【図９】
0005716912.tif 000010
【図１０】
0005716912.tif 000011
【図１１】
0005716912.tif 000012
【図１２】
0005716912.tif 000013